【事件の表示】
　特願２０１４−２５８２１９号「遊技機」拒絶査定不服審判事件〔平成２８年　６月３０日出願公開、特開２０１６−１１６７０２号〕について、次のとおり審決する。
【結　論】
　本件審判の請求は、成り立たない。
【理　由】
第１　手続の経緯　
　本願は、平成２６年１２月２２日の出願であって、平成３０年４月１０日に手続補正書が提出され、平成３０年８月１０日付けで拒絶の理由が通知され、同年１０月１９日に意見書及び手続補正書が提出されたところ、平成３１年３月２０日付け（謄本送達日：平成３１年３月２６日）で拒絶査定がなされ、それに対して、令和１年６月１７日に拒絶査定不服審判の請求がなされると同時に手続補正がなされたものである。　
第２　令和１年６月１７日にされた手続補正（以下、「本件補正」という。）についての補正の却下の決定
 ［補正の却下の決定の結論］
　　本件補正を却下する。
 ［理由］
１　本件補正について
　本件補正は、特許請求の範囲を補正する内容を含んでおり、本件補正により、特許請求の範囲の請求項１は、
　　（補正前：平成３０年１０月１９日付け手続補正）
「【請求項１】
　可変表示を行い、表示結果として予め定められた特定表示結果が表示されたときに遊技者にとって有利な有利状態に制御可能な遊技機であって、
　未だ開始されていない可変表示に関する情報を、保留記憶として記憶可能な保留記憶手段と、
　前記保留記憶手段に記憶されている保留記憶の各々に対応した保留表示を第１態様と該第１態様と異なる第２態様とで表示可能な保留表示手段と、
　前記保留表示手段が表示する保留表示の表示態様とは異なる態様で保留記憶数を認識可能に表示する保留記憶数表示手段と、
　当該可変表示に対応する対応表示を表示可能な対応表示手段と、
　保留表示として表示されている表示を、保留表示に対応する可変表示の開始にともなう第１タイミングにて消去可能な表示消去手段と、
　前記保留表示手段に表示されている保留表示の表示態様を変化させる保留表示変化演出を実行可能な保留表示変化演出実行手段と、
　前記対応表示手段に表示されている対応表示の表示態様を変化させる対応表示変化演出を実行可能な対応表示変化演出実行手段と、
　を備え、
　前記保留表示変化演出と前記対応表示変化演出とは、同時に実行されることはなく、
　前記保留表示手段は、保留表示に対応する可変表示の表示結果が前記特定表示結果となる場合には前記特定表示結果とならない場合と比べて該保留表示を高い割合で前記第２態様で表示し、
　前記対応表示手段は、前記第２態様の保留表示に対応する可変表示において、該可変表示の開始から前記第１タイミングよりも後のタイミングである第２タイミングまで対応表示を表示し、第２タイミングの後に対応表示を非表示とすることが可能である
　ことを特徴とする遊技機。」
　　から、
　　（補正後：本件補正）
「【請求項１】
Ａ　可変表示を行い、表示結果として予め定められた特定表示結果が表示されたときに遊技者にとって有利な有利状態に制御可能な遊技機であって、
Ｂ　未だ開始されていない可変表示に関する情報を、保留記憶として記憶可能な保留記憶手段と、
Ｃ　前記保留記憶手段に記憶されている保留記憶の各々に対応した保留表示を第１態様と該第１態様と異なる第２態様とで表示可能な保留表示手段と、Ｄ　前記保留表示手段が表示する保留表示の表示態様とは異なる態様で保留記憶数を認識可能に表示する保留記憶数表示手段と、
Ｅ　当該可変表示に対応する対応表示を表示可能な対応表示手段と、
Ｃ１　保留表示として表示されている表示を、保留表示に対応する可変表示の開始にともなう第１タイミングにて消去可能な表示消去手段と、
Ｃ２　前記保留表示手段に表示されている保留表示の表示態様を変化させる保留表示変化演出を実行可能な保留表示変化演出実行手段と、
Ｆ　前記対応表示手段に表示されている対応表示の表示態様を変化させる対応表示変化演出を実行可能な対応表示変化演出実行手段と、
　を備え、
Ｃ３　前記保留表示変化演出と前記対応表示変化演出とは、同時に実行されることはなく、
Ｃ４　前記保留表示手段は、保留表示に対応する可変表示の表示結果が前記特定表示結果となる場合には前記特定表示結果とならない場合と比べて該保留表示を高い割合で前記第２態様で表示し、
Ｅ１　前記対応表示手段は、前記第２態様の保留表示に対応する可変表示において、該可変表示の開始から前記第１タイミングよりも後のタイミングである第２タイミングまで対応表示を表示し、第２タイミングの後に対応表示を非表示とすることが可能であ
り、
Ｆ　
前記対応表示変化演出実行手段は、
Ｆ１　　
対応表示の変化を示唆する表示変化示唆演出を実行してから前記対応表示変化演出を実行可能であり、
Ｆ２　　
対応表示に対応する可変表示の表示結果が前記特定表示結果となる場合には前記特定表示結果とならない場合と比べて高い割合で、当該可変表示がリーチ状態となった後に前記表示変化示唆演出を実行し、
Ｆ３　　
前記第２タイミングまで対応表示が表示されているときに、対応表示に対応する可変表示の表示結果が前記特定表示結果となるか否かに応じて異なる割合で、複数のタイミングのうち何れかのタイミングで対応表示の表示態様を変化させる、
Ａ　ことを特徴とする遊技機。」
　に補正された（下線は、補正箇所を明示するために当審で付した。また、符号Ａ−Ｆ３は、当審にて分説して付した。）。
２　補正の適否
（１）本件補正
　本件補正は、補正前の請求項１について、
　発明を特定するために必要な事項である「対応表示変化演出実行手段」について、
　「対応表示の変化を示唆する表示変化示唆演出を実行してから前記対応表示変化演出を実行可能であり、
　対応表示に対応する可変表示の表示結果が前記特定表示結果となる場合には前記特定表示結果とならない場合と比べて高い割合で、当該可変表示がリーチ状態となった後に前記表示変化示唆演出を実行し、
　前記第２タイミングまで対応表示が表示されているときに、対応表示に対応する可変表示の表示結果が前記特定表示結果となるか否かに応じて異なる割合で、複数のタイミングのうち何れかのタイミングで対応表示の表示態様を変化させる」ものであるという限定を加えたものである。
（２）補正目的
　上記（１）の本件補正は、補正前の発明特定事項に限定を加えるものであって、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
（３）新規事項
　本件補正は、願書に最初に添付した明細書又は図面の【００１０】、【０３８４】、【０３８５】、図３１の記載からみて新規事項を追加するものではないから、特許法第１７条の２第３項に規定する要件を満たす。
　　　
３　本件補正発明の独立特許要件についての検討
　上記２（２）のとおり、本件補正は、特許法第１７条の２第５項第２号に規定する「特許請求の範囲の減縮」を目的とする補正であるから、本件補正後の特許請求の範囲の請求項１に係る発明（以下、「本件補正発明」という。）が特許出願の際独立して特許を受けることができるものであるか（特許法第１７条の２第６項において準用する同法第１２６条第７項の規定に適合するか）について以下に検討する。
（１）本件補正発明
　本件補正発明は、本件補正により補正された、上記第２の１で補正後として示した特許請求の範囲の請求項１に記載されたとおりのものである。
（２）引用文献１に記載された発明
　原査定の拒絶理由において提示された、本願の出願前に頒布された刊行物である特開２０１３−２１２１３６号公報（以下、「引用文献１」という。）には、図面と共に次の事項が記載されている（下線は当審にて付した。）。
　ア　記載事項
　（ア）「【０００９】
　本発明は上記事情に鑑み、始動保留表示による演出効果を高め、遊技の興趣をさらに高めることが可能な遊技台を提供することを目的とする。」
　（イ）「【００３０】
　装飾図柄表示装置２０８は、装飾図柄ならびに演出に用いる様々な画像（動画像または静止画像）を表示するための表示装置であり、本例示形態では液晶表示装置（ＬｉｑｕｉｄＣｒｙｓｔａｌ Ｄｉｓｐｌａｙ）によって構成する。装飾図柄表示装置２０８は、左図柄表示領域２０８ａ、中図柄表示領域２０８ｂ、右図柄表示領域２０８ｃ、第４図柄表示領域２０８ｅおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、第４図柄表示領域２０８ｅには第４図柄を表示し、演出表示領域２０８ｄは演出に用いる画像を表示する。・・・
【００３１】 
　遊技領域１２４の下部には、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設している。なお、以下、普通図柄を「普図」、特別図柄を「特図」、第１特別図柄を「特図１」、第２特別図柄を「特図２」と称する場合がある。
・・・
【００３３】 
　普図保留ランプ２１６は、保留している普図変動遊技（詳細は後述）の数を示すためのランプであり、本例示形態では、普図変動遊技を所定数（例えば、２つ）まで保留することを可能としている。特図１保留ランプ２１８および特図２保留ランプ２２０は、
保留している特図変動遊技
の数を示すためのランプであ
　（ウ）「【００４６】 
　まず、パチンコ機１００の主制御部３００について説明する。
主制御部３００は、主制御部３００の全体を制御する基本回路３０２を備え
【００４７】 
　また、
基本回路３０２には、
特図１保留ランプ２１８、特図２保留ランプ２２０
の表示制御を行うための駆動回路３３０
が
設けられ
（エ）「【００６０】
　次に、図５（ａ）〜（ｄ）を用いて、
パチンコ機１００
特図１表示装置２１２、特図２表示装置２１４
７個のセグメントの全点灯と、中央の１個のセグメントの点灯を繰り返す
特図１の変動表示
を行う
７個のセグメントの全点灯と、中央の１個のセグメントの点灯を繰り返す
特図２の変動表示
を行う
変動開始前に決定した変動時間が経過すると
特図１または２の停止図柄態様を停止表示す
【００６１】
　図５（ａ）には、
特図１の
停止図柄態様
特図Ａ
特図Ｅ
５種類の特図が
特図Ａ
１５Ｒ
特別大当り図柄であ
特図Ｂ
１５Ｒ大当り図柄である
【００６２】 
　「
特図Ｃ
２Ｒ大当り図柄であ
・・・
【００６５】
　図５（ｃ）は装飾図柄の一例を示したものである。本例示形態の
装飾図柄には、「装飾１」〜「装飾１０」の１０種類があ
装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・→「装飾９」→「装飾１０」→「装飾１」→・・・の順番で表示を切り替える
装飾図柄の変動表示
を行
【００６６】
　そして、「
特図Ａ
の１５Ｒ特別大当り
特図Ｂ
の１５Ｒ大当り
を報知する場合には、図柄表示領域２０８ａ〜２０８ｃに同じ装飾図柄が３つ並んだ図柄組合せ
例えば「装飾１−装飾１−装飾１」や「装飾２−装飾２−装飾２」等
を停止表示
【００６７】
　
また、
特図Ｃ
を報知する場合には、「装飾１−装飾２−装飾３」や「装飾１−装飾３−装飾５」を停止表示
　（オ）「【００７４】 
　・・・また、
主制御部３００のＲＡＭ３０８
　（カ）「【００８８】
　ステップＳ２１５の次のステップＳ２１７では、
入賞受付処理を行
特
始動口２３０
への入賞があったか否かを判定する
【００８９】
　
特図１始動口２３０へ入賞があった場合かつＲＡＭ３０８に設けた対応する特図１保留数記憶領域が満タンでない場合、乱数値生成回路
３１８の特
始動口２３０に対応する内蔵のカウンタ値記憶用レジスタに記憶された値に所定の加工を施して生成した特
当選乱数値を取得するとともに、ＲＡＭ３０８に設けた特
乱数値生成用乱数カウンタから特
乱数値を取得して特
乱数値記憶領域に取得順に格納する
特
乱数値記憶領域内の特
当選乱数値および特
乱数値の組は、特
保留数記憶領域に記憶された特
保留数と同数分だけ格納される
　（キ）「【０１０８】 
　また、
扉部材の開放・閉鎖制御を
特図１の場合は１５ラウンドまたは２ラウンド
繰り返
　（ク）「【０１９４】 
　
第１副制御部４００
装飾図柄表示装置２０８には、
【０１９５】 
　後述するように、本例では、
テクスチャ画像のアニメーションとして保留アイコンが表示され
表示される保留アイコンの数は、
特図変動遊技の保留数と同数であ
各保留アイコンは、その表示態様によって当該保留の当否についての先読み予告が可能であ
【０１９６】 
　また本例では、
保留が消化されて特図変動遊技が開始された後に、当該特図変動遊技に対応する１つの変動アイコンが表示される場合があ
保留アイコンの表示態様と関連した表示態様からなり、保留アイコンと同様にテクスチャ画像のアニメーションとして表示され
　（ケ）「【０２１３】 
　図１９（ｃ）は、第２副制御部５００のＣＰＵ５０４が実行するタイマ割込処理のフローチャートである。
第２副制御部５００は、
【０２１４】 
　図２０は、第２副制御部メイン処理のステップＳ８０９における演出制御処理の流れの一例を示すフローチャートである。演出制御処理のステップＳ１１０１では
保留アイコン表示制御処理を行
変動アイコン表示制御処理を行う
【０２１５】 
　図２１は、保留アイコン表示制御処理の流れの一例を示すフローチャートである。まず、保留アイコン表示制御処理のステップＳ１２０１では、
第１副制御部４００から送信される先読み結果情報コマンド等の各種コマンドに基づき、特図変動遊技の保留数が増加したか否かを判定
保留数が増加したと判定した場合には
【０２１６】 
　ステップＳ１２０３では、
保留アイコン変更シナリオ抽選処理を行
増加した保留についての保留アイコン変更シナリオを抽選で決定する
当該保留が消化されるまでの保留アイコンの表示態様の変化を表す情報であり、例えば「入賞時：白、１変動後：白、２変動後：青」と表される
・・・
【０２１９】 
　ステップＳ１２０９では、保留アイコン変更条件が成立したか否かを判定する。保留アイコン変更条件は、例えば、
特図変動遊技が開始された
保留アイコン変更条件が成立したと判定した場合には
【０２２０】 
　ステップＳ１２１１では、保留アイコン変更処理を行う。
保留アイコン変更処理
各保留アイコン変更シナリオに基づいて各保留アイコンの表示態様の変更が必要か否かを判定し、変更が必要であれば保留アイコンの表示態様を変更する
を行
【０２２１】 
　ステップＳ１２１３では、特図変動遊技の保留数が減少したか否かを判定する。例えば、
第１副制御部４００からの図柄変動開始コマンドや先読み結果情報コマンド等に基づき、保留数が減少したと判定した場合には
【０２２２】 
　ステップＳ１２１５では、保留アイコン表示位置変更処理を行う。
保留アイコン表示位置変更処理
保留数の減少に応じて、各保留アイコンの表示位置を変更する
を行
【０２２３】 
　図２２は、変動アイコン表示制御処理の流れの一例を示すフローチャートである。まず、変動アイコン表示制御処理のステップＳ１３０１では、特図変動遊技が開始されたタイミングであるか否かを判定する。例えば、
図柄変動開始コマンドを第１副制御部４００から受信したタイミングであれば特図変動遊技が開始されたタイミングであると判定し
【０２２４】 
　ステップＳ１３０３では、
変動アイコン抽選処理
開始された特図変動遊技についての変動アイコンの表示態様を抽選で決定する
【０２２５】 
　ステップＳ１３０３の次のステップＳ１３０５では、
決定した表示態様の変動アイコンを装飾図柄表示装置２０８の所定の表示領域に表示する処理
を行
・・・ 
【０２２７】 
　ステップＳ１３０９では、変動アイコン表示中断条件が成立したか否かを判定する。変動アイコン表示中断条件としては、例えば、
スーパーリーチ演出等の装飾図柄表示装置２０８の表示画面ほぼ全体で実行される演出が開始されること
変動アイコン表示中断条件が成立したと判定した場合には
【０２２８】 
　ステップＳ１３１１では、
変動アイコン表示中断処理を行
装飾図柄表示装置２０８に表示されている変動アイコンの表示を中断
する
・・・ 
【０２３０】 
　ステップＳ１３１５では、変動アイコン表示再開条件が成立したか否かを判定する。変動アイコン表示再開条件としては、例えば、
スーパーリーチ演出等が終了したこと
等
変動アイコン表示再開条件が成立したと判定した場合には
【０２３１】 
　ステップＳ１３１７では、
変動アイコン表示再開処理を行
装飾図柄表示装置２０８における変動アイコンの表示を再開する
【０２３３】 
　ステップＳ１３２１では、変動アイコン変更処理を行う。変動アイコン変更処理では、装飾図柄表示装置２０８に表示されている変動アイコンの表示態様を変更するための処理（例えば、変動アイコンの変化アニメーションを設定する処理を含む）を行う。その後、ステップＳ１３２３の処理に移行する。また、変動アイコン表示中断条件が同時に成立している場合には、変動アイコンの一部または全部が非表示の状態において変動アイコンの表示態様を変更する制御が行われ、該変動アイコンについて表示中断条件が非成立となり、
表示が再開された場合に、中断よりも前における表示態様とは異なる表示態様の変動アイコンが表示されるようなものであっても良
　（コ）「【０２４１】 
　本例の
保留アイコンの表示態様は、球系の保留アイコン表示グループでは
大当り信頼度
の高い方から「赤」、「青」、「白」となっており
箱系の保留アイコン表示グループでは信頼度の高い方から「千両箱」、「箱」となってい
　（サ）「【０２４８】
　次に、本例示形態によるパチンコ機１００において実行される演出の具体例について説明する。
　（実施例１−１） 図２８および図２９は、本例示形態の実施例１−１における演出表示の例を時系列で示している。ここで、図２８および図２９並びに後述する各図では、装飾図柄表示装置２０８の図柄表示領域２０８ａ〜２０８ｃにおける装飾図柄の変動を下向きの白抜き太矢印で表している。また、特図１表示装置２１２、特図２表示装置２１４、特図１保留ランプ２１８および特図２保留ランプ２２０の消灯部分を白抜きで表し、点灯部分を黒塗りで表している。また、特図１表示装置２１２または特図２表示装置２１４において全てのセグメントが白抜きで表された状態は、特図１または特図２の変動表示が行われていることを示している。また、第４図柄の図示は省略する場合がある。
・・・
【０２５０】 
　また、演出表示領域２０８ｄの下部であって変動アイコン表示領域８００の右側に隣接する横長の領域は、保留アイコン表示領域９００である。保留アイコン表示領域９００では、１つまたは複数の保留アイコンを表示することが可能である。保留アイコン表示領域９００では、保留アイコンの個数によって特図変動遊技の保留数を報知することが可能であるとともに、各保留アイコンの表示態様によって当該保留の当否を所定の信頼度で報知（先読み予告）することが可能である。本例の保留アイコン表示領域９００は最大４つの保留アイコンを表示可能であり、左から右に向かって、第１領域、第２領域、第３領域、第４領域の４つの領域に大まかに分かれている。第１〜第４の各領域は、それぞれ１番目〜４番目の保留順位に対応している。すなわち、
第１領域には最先の
保留に対応する保留アイコンが表示可能となっており、
　（シ）「【０３１０】
　本例では、変動アイコン８０１は、変動期間中に３回、変動終了後を含めれば４回消去される。このように、信頼度の高い変動アイコンは、１変動において消去される回数を多くしてもよい。ただし、信頼度の高い変動アイコンは消去回数が多いとしても、当該変動アイコンが表示されている期間の長さは、消去回数の少ない変動アイコンより長くなるようにしてもよい。
（実施例１−６） 図３８および図３９は、本例示形態の実施例１−６における演出表示の例を時系列で示している。図３８（ａ）は、
ある特図１変動遊技が終了した状態
特図１表示装置２１２には、特図Ｅ（はずれ）が停止表示され
【０３１１】　
　
図柄表示領域２０８ａ〜２０８ｃには、当りを報知する図柄組合せ以外の図柄組合せ「装飾４−装飾２−装飾８」が停止表示され
保留アイコン表示領域９００の第１領域には保留アイコン９０１（表示態様：白）が表示されており、第２領域には保留アイコン９０２（表示態様：青）が表示されてい
変動アイコン表示領域８００には、変動アイコンは表示されて
【０３１２】 
　図３８（ｂ）〜（ｄ）は、
次の特図１変動遊技の変動期間中
特図１表示装置２１２では、特図１の変動表示が開始され
【０３１３】 
　
図柄表示領域２０８ａ〜２０８ｃでは、装飾図柄の変動表示が開始され
変動アイコンの表示時間は、保留アイコンとしての最終的な表示態様によって異なっており、当該表示態様の信頼度が高いほど長くなってい
保留アイコンの最終的な表示態様がデフォルト
白
である場合には、当該保留アイコンに対応する変動アイコンの表示時間を０として
保留アイコンを変動アイコンに変化させずにそのまま消去する
消去アニメーション
を実行し
【０３１４】 
　図３８（ｂ）に示す例では、
保留アイコン表示領域９００において、保留アイコン９０１の消去アニメーション
が開始され
保留アイコン９０１の消去アニメーションでは、保留アイコン９０１の周囲に例えば光を表すエフェクト動画像が表示され
エフェクト動画像および保留アイコン９０１自体が徐々に小さくなり
最終的には消えるようになってい
【０３１５】 
　保留アイコン９０２の移動アニメーションでは、保留アイコン表示領域９００の第２領域に表示されていた保留アイコン９０２が徐々に第１領域に移動する。ここで、図３８（ｃ）に示すように、保留アイコン９０２の移動アニメーションは、保留アイコン９０１の消去アニメーションと重複してもよい。
【０３１６】 
　図３８（ｅ）は、
当該特図変動遊技が終了
特図１表示装置２１２には特図Ｅ（はずれ）が停止表示され、図柄表示領域２０８ａ〜２０８ｃには、当りを報知する図柄組合せ以外の図柄組合せ「装飾３−装飾７−装飾５」が停止表示され
【０３１７】　
　図３８（ｆ）〜（ｈ）は、
次の特図変動遊技の変動期間中
特図１表示装置２１２では、特図１の変動表示が開始され
【０３１８】
　
図柄表示領域２０８ａ〜２０８ｃでは、装飾図柄の変動表示が開始され
変動アイコン表示領域８００および保留アイコン表示領域９００で
保留・変動アイコン間の移動アニメーションが開始され
保留アイコン９０２の表示態様はデフォルトではない
【０３１９】
　
保留・変動アイコン間の移動アニメーションでは、保留アイコン表示領域９００の第１領域に表示されていた保留アイコン９０２が、変動アイコン８０１となって、表示サイズが徐々に拡大されながら変動アイコン表示領域８００に移動
【０３２０】 
　その後、図柄表示領域２０８ａ、２０８ｃにいずれも「装飾３」が表示され、図柄表示領域２０８ｂでのみ変動表示が続行されるリーチ状態となる（図３８（ｈ））。
【０３２１】 
　図３９（ａ）〜（ｄ）は、
当該特図変動遊技が終了した状態
特図１表示装置２１２には特図Ｅ（はずれ）が停止表示され、図柄表示領域２０８ａ〜２０８ｃには、当りを報知する図柄組合せ以外の図柄組合せ「装飾３−装飾４−装飾３」が停止表示され
変動アイコン表示領域８００では、変動アイコン８０１の消去アニメーションが実行され
　（ス）図３８及び図３９は次のとおりである。
「
　　　　　　　　　　　　　　　　　　　　　　　　　　　　　　　　　」
「
　　　　　　　　　　　　　　　　　　　　　　　　　　　　　　　　　」
　（セ）図３９（ｃ）には、「変動アイコン８０１」が記載されているが、図３９（ｄ）には、「変動アイコン８０１」は記載されていない。
　イ　認定事項１
　上記ア（ス）、（セ）及び、【０３２１】 の「図３９（ａ）〜（ｄ）は、当該特図変動遊技が終了した状態を示している。特図１表示装置２１２には特図Ｅ（はずれ）が停止表示され、図柄表示領域２０８ａ〜２０８ｃには、当りを報知する図柄組合せ以外の図柄組合せ「装飾３−装飾４−装飾３」が停止表示される。変動アイコン表示領域８００では、変動アイコン８０１の消去アニメーションが実行される。」との記載より、引用文献１には、
特図変動遊技が終了すると、表示されていた変動アイコン８０１が消去される
　ウ　引用発明
　上記ア、イより、引用文献１には、次の引用発明が記載されていると認められる（符号ａ−ｆ３は、本件補正発明の分説Ａ−Ｆ３におおむね対応させて、当審が付した。）。
　引用発明
「ａ　７個のセグメントの全点灯と、中央の１個のセグメントの点灯を繰り返す特図１の変動表示を行う特図１表示装置２１２と、７個のセグメントの全点灯と、中央の１個のセグメントの点灯を繰り返す特図２の変動表示を行う特図２表示装置２１４とを備え、変動開始前に決定した変動時間が経過すると特図１または２の停止図柄態様を停止表示し、
　例えば、特図１の停止図柄態様として特図Ａ〜特図Ｅの５種類の特図があって、１５Ｒ特別大当り図柄である特図Ａと、１５Ｒ大当り図柄である特図Ｂと、２Ｒ大当り図柄である特図Ｃとが、大当り図柄となり、
　装飾図柄表示装置２０８の左図柄表示領域２０８ａ、中図柄表示領域２０８ｂおよび右図柄表示領域２０８ｃに、「装飾１」→「装飾２」→「装飾３」→・・・→「装飾９」→「装飾１０」→「装飾１」→・・・の順番で表示を切り替える装飾図柄の変動表示を行い、特図Ａの１５Ｒ特別大当り、特図Ｂの１５Ｒ大当りを報知する場合には、図柄表示領域２０８ａ〜２０８ｃに同じ装飾図柄が３つ並んだ図柄組合せとして、例えば「装飾１−装飾１−装飾１」や「装飾２−装飾２−装飾２」等を停止表示し、また、特図Ｃの２Ｒ大当りを報知する場合には、「装飾１−装飾２−装飾３」や「装飾１−装飾３−装飾５」を停止表示し、　
　特図１が大当り図柄となる場合は、扉部材の開放・閉鎖制御を１５ラウンドまたは２ラウンド繰り返すパチンコ機１００であって（【００６０】−【００６２】、【００６５】−【００６７】、【０１０８】、図１１）、
ｂ　主制御部３００は、特図１始動口２３０への入賞があったか否かを判定する入賞受付処理を行い、特図１始動口２３０へ入賞があった場合かつＲＡＭ３０８に設けた対応する特図１保留数記憶領域が満タンでない場合、乱数値生成回路３１８の特図１始動口２３０に対応する内蔵のカウンタ値記憶用レジスタに記憶された値に所定の加工を施して生成した特図１当選乱数値を取得するとともに、ＲＡＭ３０８に設けた特図１乱数値生成用乱数カウンタから特図１乱数値を取得して特図１乱数値記憶領域に取得順に格納することにより、
　主制御部３００のＲＡＭ３０８に設けられた特図１乱数値記憶領域に、特図１当選乱数値および特図１乱数値の組が、特図１保留数記憶領域に記憶された特図１保留数と同数分だけ格納され（【００７４】、【００８８】、【００８９】）、
ｃ、ｅ　第１副制御部４００から送信される先読み結果情報コマンド等の各種コマンドに基づき、保留アイコン表示制御処理を行う第２副制御部５００により、装飾図柄表示装置２０８には、テクスチャ画像のアニメーションとして保留アイコンが表示され、表示される保留アイコンの数は、特図変動遊技の保留数と同数であり、各保留アイコンは、その表示態様によって当該保留の当否についての先読み予告が可能であって、
　保留アイコンの表示態様は、球系の保留アイコン表示グループでは大当り信頼度の高い方から「赤」、「青」、「白」となっており、箱系の保留アイコン表示グループでは信頼度の高い方から「千両箱」、「箱」となっていて、変動アイコンの表示時間は、保留アイコンとしての最終的な表示態様によって異なっており、当該表示態様の信頼度が高いほど長くなっていて、保留アイコンの最終的な表示態様がデフォルトの白である場合には、当該保留アイコンに対応する変動アイコンの表示時間を０として、保留アイコンを変動アイコンに変化させずにそのまま消去する消去アニメーションを実行し（【０１９４】、【０１９５】、【０２１３】−【０２１５】、【０２４１】、【０３１３】）、
　変動アイコン表示制御処理を行う第２副制御部５００により、装飾図柄表示装置２０８には、保留が消化されて特図変動遊技が開始された後に、保留アイコンの表示態様と関連した表示態様からなり、保留アイコンと同様にテクスチャ画像のアニメーションとして表示され、当該特図変動遊技に対応する１つの変動アイコンが表示される場合があり（【０１９４】、【０１９６】、【０２１３】、【０２１４】）、
ｄ　主制御部３００は、主制御部３００の全体を制御する基本回路３０２を備え、基本回路３０２には、保留している特図変動遊技の数を示すためのランプである、特図１保留ランプ２１８、特図２保留ランプ２２０の表示制御を行うための駆動回路３３０が設けられ（【００３３】、【００４６】、【００４７】）、
ｃ１、ｃ４　ある特図１変動遊技が終了した状態では、特図１表示装置２１２には、特図Ｅ（はずれ）が停止表示され、装飾図柄表示装置２０８の図柄表示領域２０８ａ〜２０８ｃには、当りを報知する図柄組合せ以外の図柄組合せ「装飾４−装飾２−装飾８」が停止表示されて、保留アイコン表示領域９００の第１領域には保留アイコン９０１（表示態様：白）が表示されており、第２領域には保留アイコン９０２（表示態様：青）が表示されていて、変動アイコン表示領域８００には、変動アイコンは表示されておらず、
　保留アイコン表示制御処理と変動アイコン表示制御処理とを行う第２副制御部５００により、
　第１領域には最先の保留に対応する保留アイコンが表示可能となっており、
　次の特図１変動遊技の変動期間中に、特図１表示装置２１２では、特図１の変動表示が開始され、図柄表示領域２０８ａ〜２０８ｃでは、装飾図柄の変動表示が開始され、
　保留アイコンを表示する装飾図柄表示装置２０８の保留アイコン表示領域９００において、保留アイコン９０１の消去アニメーションが開始され、保留アイコン９０１の消去アニメーションでは、保留アイコン９０１の周囲に例えば光を表すエフェクト動画像が表示され、エフェクト動画像および保留アイコン９０１自体が徐々に小さくなり、特図変動遊技が終了する前に最終的には消えるようになっていて、
　当該特図１変動遊技が終了すると、特図１表示装置２１２には特図Ｅ（はずれ）が停止表示され、図柄表示領域２０８ａ〜２０８ｃには、当りを報知する図柄組合せ以外の図柄組合せ「装飾３−装飾７−装飾５」が停止表示され（【０１９４】、【０１９５】、【０２１３】、【０２１４】、【０２５０】、【０３１０】−【０３１４】、【０３１６】、図３８（ａ）−（ｅ））、
　保留アイコンの表示態様は、大当り信頼度の高い方から「赤」、「青」、「白」となっており
　変動アイコンの表示時間は、保留アイコンとしての最終的な表示態様によって異なっており、当該表示態様の信頼度が高いほど長くなっていて、保留アイコンの最終的な表示態様がデフォルトの白である場合には、当該保留アイコンに対応する変動アイコンの表示時間を０として、保留アイコンを変動アイコンに変化させずにそのまま消去する消去アニメーションを実行し（【０２４１】、【０３１３】）、
ｃ２、ｃ３　保留アイコン表示制御処理を行う第２副制御部５００は、特図変動遊技の保留数が増加したか否かを判定し、保留数が増加したと判定した場合には、装飾図柄表示装置２０８に表示されている当該保留が消化されるまでの保留アイコンの表示態様の変化を表す情報であり、例えば「入賞時：白、１変動後：白、２変動後：青」と表されるような、増加した保留についての保留アイコン変更シナリオを抽選で決定する保留アイコン変更シナリオ抽選処理を行い、
　特図変動遊技が開始されたという保留アイコン変更条件が成立したと判定した場合には、各保留アイコン変更シナリオに基づいて各保留アイコンの表示態様の変更が必要か否かを判定し、変更が必要であれば保留アイコンの表示態様を変更する保留アイコン変更処理を行い、第１副制御部４００からの図柄変動開始コマンドや先読み結果情報コマンド等に基づき、保留数が減少したと判定した場合には、保留アイコン表示位置変更処理では、保留数の減少に応じて、各保留アイコンの表示位置を変更する保留アイコン表示位置変更処理を行い（【０１９４】、【０２１３】、【０２１４】、【０２１６】、【０２１９】−【０２２２】）、
ｆ、ｆ１、ｆ３　変動アイコン表示制御処理を行う第２副制御部５００は、図柄変動開始コマンドを第１副制御部４００から受信したタイミングであれば特図変動遊技が開始されたタイミングであると判定し、開始された特図変動遊技についての変動アイコンの表示態様を抽選で決定する変動アイコン抽選処理と決定した表示態様の変動アイコンを装飾図柄表示装置２０８の所定の表示領域に表示する処理を行い、
　スーパーリーチ演出等の装飾図柄表示装置２０８の表示画面ほぼ全体で実行される演出が開始されることという変動アイコン表示中断条件が成立したと判定した場合には、装飾図柄表示装置２０８に表示されている変動アイコンの表示を中断する変動アイコン表示中断処理を行うとともに、スーパーリーチ演出等の装飾図柄表示装置２０８の表示画面ほぼ全体で実行される演出が終了したことという変動アイコン表示再開条件が成立したと判定した場合には、装飾図柄表示装置２０８における変動アイコンの表示を再開する変動アイコン表示再開処理を行う変動アイコン表示再開処理を行い、表示が再開された場合に、中断よりも前における表示態様とは異なる表示態様の変動アイコンが表示されるようなものであっても良く（【０２１３】、【０２１４】、【０２２３】−【０２２５】、【０２２７】、【０２２８】、【０２３０】、【０２３１】、【０２３３】）、
ｅ１　次の特図変動遊技の変動期間中に、特図１表示装置２１２では、特図１の変動表示が開始され、装飾図柄表示装置２０８の図柄表示領域２０８ａ〜２０８ｃでは、装飾図柄の変動表示が開始され、変動アイコン表示領域８００および保留アイコン表示領域９００で表示されている保留アイコン９０２（表示態様：青）はデフォルトではないため、保留・変動アイコン間の移動アニメーションが開始され、
　保留・変動アイコン間の移動アニメーションでは、保留アイコン表示領域９００の第１領域に表示されていた保留アイコン９０２が、変動アイコン８０１となって、表示サイズが徐々に拡大されながら変動アイコン表示領域８００に移動して、
　当該特図１変動遊技が終了すると、特図１表示装置２１２には特図Ｅ（はずれ）が停止表示され、図柄表示領域２０８ａ〜２０８ｃには、当りを報知する図柄組合せ以外の図柄組合せ「装飾３−装飾４−装飾３」が停止表示され、変動アイコン表示領域８００では、変動アイコン８０１の消去アニメーションが実行され、表示されていた変動アイコン８０１が消去される（【０１９４】、【０３１１】、【０３１７】−【０３１９】、【０３２１】、図３８（ｆ）−（ｈ）、図３９（ａ）−（ｄ）、認定事項１）、
ａ　パチンコ機１００（【００６０】）。」
（３）対比
　引用発明と本件補正発明とを対比する。
　ア　対比に先立ち、本件補正発明の「保留表示手段」及び「対応表示手段」という用語について検討する。
　（ア）本件補正発明の「保留表示手段」について、本件補正発明の構成Ｃ４の「保留表示手段」には、「前記」と付されていることから、構成Ｃ４の「前記保留表示手段」は、構成Ｃ４よりも前に位置する構成Ｃの「保留表示手段」を受けた構成である。
　また、本件補正発明の構成Ｃに対応する説明として、本願明細書の【０００６】に、「前記保留記憶手段に記憶されている保留記憶の各々に対応した保留表示の表示態様を第１態様（例えば、通常態様や特殊態様）と該第１態様と異なる第２態様（例えば、第１特別態様や第２特別態様）とで表示可能な保留表示手段（例えば、演出制御用ＣＰＵ１２０が図２７に示す保留表示更新処理にて保留表示を入賞時判定結果記憶バッファの表示態様フラグにもとづいて演出表示装置５に表示可能な部分）と、」記載され、本件補正発明の構成Ｃ４に対応する説明として、本願明細書の【０００６】に、「前記保留表示手段は、保留表示に対応する前記識別情報の可変表示の表示結果が前記特定表示結果となる場合には前記特定表示結果とならない場合と比べて該保留表示を高い割合で前記第２態様で表示し（例えば、演出制御用ＣＰＵ１２０が図２２に示す先読み演出決定処理のＳ６７１０４にて先読み演出を実行するか否かを決定するときに用いる図２３（Ａ）に示す先読み演出実行決定テーブルにおいて、期待度が高いリーチ演出が行われる方が先読み演出が実行される割合が高くなるように判定値が設定されている部分）」と記載されている。
　そうすると、本件補正発明の構成Ｃ及び構成Ｃ４に関わる請求項１の記載と、本件補正発明の構成Ｃ及び構成Ｃ４に関する説明として、本願明細書の【０００６】に記載された説明とを併せて参酌すると、本件補正発明の構成Ｃ及び構成Ｃ４の「保留表示手段」は、保留表示に関わる所定の処理を実行する演出制御ＣＰＵと保留表示が表示される演出表示装置５とを合わせたものを表すと理解することが妥当である。
　一方、本件補正発明の構成Ｃ２では、「前記保留表示手段に表示されている保留表示の・・・」と特定され、「保留表示手段」は、保留表示に関わる所定の処理を実行する演出制御ＣＰＵのみを表すと理解することができず、むしろ、この場合は、保留表示が表示される演出表示装置５を表すと理解するほかない。
　よって、本件補正発明の「保留表示手段」という用語は、保留表示に関わる所定の処理を実行する演出制御ＣＰＵと保留表示が表示される演出表示装置５とを合わせたものを表すと解釈して、対比を行うこととする。
　（イ）本件補正発明の「対応表示手段」についても、上記（ア）の「保留表示手段」についての検討と同様、本件補正発明の構成Ｅ及び構成Ｅ２に関わる請求項１の記載と、本件補正発明の構成Ｅ及び構成Ｅ２に関する説明として、本願明細書の【０００６】に記載された説明（「前記識別情報の可変表示を行うときに、当該識別情報の可変表示に対応する可変表示対応表示（例えば、消費保留表示）を表示可能な可変表示対応表示手段（例えば、演出制御用ＣＰＵ１２０が図２７に示す保留表示更新処理にて消費保留表示をアクティブ表示記憶バッファの表示態様フラグにもとづいて演出表示装置５に表示可能な部分）」という記載、及び、「前記可変表示対応表示手段は、前記保留表示手段により保留表示が前記第２態様で表示されている場合に、該第２態様の保留表示に対応する前記識別情報の可変表示を開始した後であって少なくとも前記第１タイミングよりも後の第２タイミングまで可変表示対応表示を表示する（例えば、第１特別態様の保留表示にもとづく変動開始時に、演出制御用ＣＰＵ１２０が図３２に示す演出図柄変動中処理のＳ１８４５ｃにてアクティブ表示記憶バッファにおける表示態様フラグを決定した表示態様に応じた値にセットすることで、消費保留表示を決定した態様にて表示する部分）」という記載）とを併せて参酌すると、本件補正発明の構成Ｅの「対応表示手段」は、対応表示に関わる所定の処理を実行する演出制御ＣＰＵと対応表示が表示される演出表示装置５とを合わせたものを表すと理解することが妥当である。
　一方、本件補正発明の構成Ｆでは、「前記対応表示手段に表示されている対応表示の・・・」と特定され、「対応表示手段」は、対応表示に関わる所定の処理を実行する演出制御ＣＰＵのみを表すと理解することができず、むしろ、この場合は、対応表示が表示される演出表示装置５を表すと理解するほかない。
　よって、本件補正発明の「対応表示手段」という用語は、対応表示に関わる所定の処理を実行する演出制御ＣＰＵと対応表示が表示される演出表示装置５とを合わせたものを表すと解釈して、対比を行うこととする。
　イ　構成Ａについて
　引用発明の
　「装飾図柄表示装置２０８の左図柄表示領域２０８ａ、中図柄表示領域２０８ｂおよび右図柄表示領域２０８ｃに、「装飾１」→「装飾２」→「装飾３」→・・・→「装飾９」→「装飾１０」→「装飾１」→・・・の順番で表示を切り替える装飾図柄の変動表示を行」うこと、
　「特図Ａの１５Ｒ特別大当り、特図Ｂの１５Ｒ大当りを報知する場合には、図柄表示領域２０８ａ〜２０８ｃに同じ装飾図柄が３つ並んだ図柄組合せとして、例えば「装飾１−装飾１−装飾１」や「装飾２−装飾２−装飾２」等を停止表示し、また、特図Ｃの２Ｒ大当りを報知する場合には、「装飾１−装飾２−装飾３」や「装飾１−装飾３−装飾５」を停止表示」すること、
　「扉部材の開放・閉鎖制御を１５ラウンドまたは２ラウンド繰り返す」こと、
　「パチンコ機１００」は、それぞれ、
　本件補正発明の
　「可変表示を行」うこと、
　「表示結果として予め定められた特定表示結果が表示されたとき」、
　「遊技者にとって有利な有利状態に制御可能」であること、
　「遊技機」に相当する。
　よって、引用発明の構成ａは、本件補正発明の構成Ａに相当する。
　ウ　構成Ｂについて
　引用発明の「特図１保留数記憶領域に記憶された特図１保留数と同数分だけ格納され」た「特図１当選乱数値および特図１乱数値の組」は、「特図１始動口２３０へ入賞があった場合かつＲＡＭ３０８に設けた対応する特図１保留数記憶領域が満タンでない場合」に、「特図１乱数値記憶領域に取得順に格納」されるものであることに加え、
　「特図１保留数」が、特図１について、未だ開始されていない「装飾図柄の変動表示」の数を表しているという技術常識を参酌すると、
　引用発明の
　「特図１当選乱数値および特図１乱数値の組」、
　「特図１保留数と同数分だけ格納され」ること、
　「主制御部３００のＲＡＭ３０８に設けられた特図１乱数値記憶領域」は、それぞれ、
　本件補正発明の
　「未だ開始されていない可変表示に関する情報」、
　「保留記憶として記憶可能」であること、
　「保留記憶手段」に相当する。
　よって、引用発明の構成ｂにおける「特図１当選乱数値および特図１乱数値の組」が、「特図１保留数と同数分だけ格納され」る「主制御部３００のＲＡＭ３０８に設けられた特図１乱数値記憶領域」は、本件補正発明の「未だ開始されていない可変表示に関する情報を、保留記憶として記憶可能な保留記憶手段」（構成Ｂ）に相当する。
　エ　構成Ｃ、Ｅについて
　（ア）上記ウの検討より、引用発明の構成ｂにおける「特図１当選乱数値および特図１乱数値の組」が、「特図１保留数と同数分だけ格納され」る「主制御部３００のＲＡＭ３０８に設けられた特図１乱数値記憶領域」は、本件補正発明の「未だ開始されていない可変表示に関する情報を、保留記憶として記憶可能な保留記憶手段」（構成Ｂ）に相当することを踏まえると、
　引用発明における「装飾図柄表示装置２０８に」「特図変動遊技の保留数と同数表示される」「保留アイコン」は、本件補正発明の構成Ｃにおける「前記保留記憶手段に記憶されている保留記憶の各々に対応した保留表示」に相当する。
　（イ）そして、引用発明の、「装飾図柄表示装置２０８に」「表示され」る「各保留アイコンは、その表示態様によって当該保留の当否についての先読み予告が可能であ」り、デフォルトは「白」の表示態様で表示され、当り信頼度に応じて、「白」と異なる、例えば、「赤」、「青」の表示態様で表示されることから、
　引用発明において、
　「保留アイコン」を「白」の「表示態様」で表示すること、
　「保留アイコン」を「白」と異なる「赤」、「青」の「表示態様」で表示すること、
　「保留アイコン」を「表示」する「装飾図柄表示装置２０８」及び「保留アイコン表示制御処理を行う第２副制御部５００」は、それぞれ、
　本件補正発明の、
　「第１態様」「で表示可能」であること、
　「第１態様と異なる第２態様」「で表示可能」であること、
　「保留表示手段」に相当する。
　よって、引用発明における「保留アイコン」を「表示」する「装飾図柄表示装置２０８」及び「保留アイコン」を「白」の「表示態様」で表示し、「保留アイコン」を「白」と異なる「赤」、「青」の「表示態様」で表示する「保留アイコン表示制御処理を行う第２副制御部５００」は、本件補正発明の構成Ｃにおける「保留表示を第１態様と該第１態様と異なる第２態様とで表示可能な保留表示手段」に相当する。
　（ウ）上記（ア）、（イ）より、引用発明の構成ｃ、ｅは、本件補正発明の構成Ｃに相当する構成を含んでいる。
　（エ）引用発明の
　「当該特図変動遊技」の「変動期間中に、特図１表示装置２１２では、特図１の変動表示が開始され、図柄表示領域２０８ａ〜２０８ｃでは、装飾図柄の変動表示が開始され」ること、
　「１つの変動アイコン」、
　「表示される場合があ」ること、
　「変動アイコン」を「表示」する「装飾図柄表示装置２０８」及び「変動アイコン表示制御処理を行う第２副制御部５００」は、それぞれ、
　本件補正発明の
　「当該可変表示に対応する」こと、
　「対応表示」、
　「表示可能」であること、
　「対応表示手段」に相当する。
　そうすると、引用発明において、「当該特図変動遊技」の「変動期間中に、「特図１表示装置２１２では、特図１の変動表示が開始され、装飾図柄表示装置２０８の図柄表示領域２０８ａ〜２０８ｃでは、装飾図柄の変動表示が開始され」、「変動アイコン表示制御処理を行う第２副制御部５００により、」「変動アイコン」を「表示」する「装飾図柄表示装置２０８」に、「１つの変動アイコンが表示される場合があ」ることは、本件補正発明の構成Ｅにおける「当該可変表示に対応する対応表示を表示可能な対応表示手段」を備えることに相当するから、引用発明の構成ｃ、ｅ及び構成ｅ１は、本件補正発明の構成Ｅに相当する構成を含んでいる。
　オ　構成Ｄについて
　上記エ（ア）より、引用発明の「保留アイコン」（本願発明の構成Ｃの「保留表示」に相当。）、「装飾図柄表示装置２０８に」「特図変動遊技の保留数と同数表示される」（構成ｃ、ｅ）ものであることを考慮すると、「装飾図柄表示装置２０８に」表示された「保留アイコン」の数が、「特図変動遊技の保留数」を表しているということができる。
　そうすると、特図１を例にすると、引用発明の構成ｄの「保留している特図変動遊技の数を示すためのランプである、特図１保留ランプ２１８」は、「特図変動遊技の保留数」を表していて、「特図１保留ランプ２１８」は、「保留アイコン」が表示される「装飾図柄表示装置２０８」とは別の手段であるから、引用発明の構成ｄにおける「保留している特図変動遊技の数を示すためのランプである、特図１保留ランプ２１８」は、本件補正発明の構成Ｄと、前記保留表示手段が表示する保留表示とは別の、保留記憶数を認識可能に表示する手段である点で共通する。
　カ　構成Ｃ１について
　引用発明は、「ある特図１変動遊技が終了した状態では、」「保留アイコン表示領域９００の第１領域には保留アイコン９０１（表示態様：白）が表示されて」いるが、「第１領域には最先の保留に対応する保留アイコンが表示可能となって」いるので、「第１領域に」表示されている「保留アイコン９０１（表示態様：白）」（本願発明の「保留表示」に相当。）は、「次の特図１変動遊技」の「変動期間中に、特図１表示装置２１２では、特図１の変動表示が開始され、装飾図柄表示装置２０８の図柄表示領域２０８ａ〜２０８ｃでは、装飾図柄の変動表示が開始され」ること（本件補正発明の「可変表示」に相当。）に対応しているものと認められる。
　そうすると、引用発明の
　「ある特図１変動遊技が終了した状態では、」「保留アイコン表示領域９００の第１領域に」表示されている「保留アイコン９０１（表示態様：白）」、
　「次の特図１変動遊技」の「変動期間中に、特図１表示装置２１２では、特図１の変動表示が開始され、装飾図柄表示装置２０８の図柄表示領域２０８ａ〜２０８ｃでは、装飾図柄の変動表示が開始され」ること、
　「保留アイコンを表示する装飾図柄表示装置２０８」及び「保留アイコン表示制御処理」「を行う第２副制御部５００」は、それぞれ、
　本件補正発明の
　「保留表示として表示されている表示」と「保留表示」のいずれにも、
　「保留表示に対応する可変表示」
　「表示消去手段」に相当し、
　引用発明において、「次の特図１変動遊技の変動期間中に、特図１表示装置２１２では、特図１の変動表示が開始され、図柄表示領域２０８ａ〜２０８ｃでは、装飾図柄の変動表示が開始され、」「保留アイコン表示制御処理」「を行う第２副制御部５００」により、「保留アイコンを表示する装飾図柄表示装置２０８の保留アイコン表示領域９００において、保留アイコン９０１の消去アニメーションが開始され、保留アイコン９０１の消去アニメーションでは、保留アイコン９０１の周囲に例えば光を表すエフェクト動画像が表示され、エフェクト動画像および保留アイコン９０１自体が徐々に小さくなり、特図変動遊技が終了する前に最終的には消える」ことは、保留表示に対応する可変表示の開始後に消去されている期間があるように消去可能であるという点で、本件補正発明の構成Ｃ１において、「保留表示に対応する可変表示の開始にともなう第１タイミングにて消去可能」であることと共通する。
　したがって、引用発明の構成ｃ１、ｃ４において、
　「ある特図１変動遊技が終了した状態では、」「保留アイコンを表示する装飾図柄表示装置２０８」の「保留アイコン表示領域９００の第１領域に」表示されている「保留アイコン９０１（表示態様：白）」を、「第１領域に」表示されている「保留アイコン９０１（表示態様：白）」に対応する「次の特図１変動遊技の変動期間中に、特図１表示装置２１２では、特図１の変動表示が開始され、図柄表示領域２０８ａ〜２０８ｃでは、装飾図柄の変動表示が開始され、」「保留アイコン表示制御処理」「を行う第２副制御部５００」により、「保留アイコンを表示する装飾図柄表示装置２０８の保留アイコン表示領域９００において、保留アイコン９０１の消去アニメーションが開始され、保留アイコン９０１の消去アニメーションでは、保留アイコン９０１の周囲に例えば光を表すエフェクト動画像が表示され、エフェクト動画像および保留アイコン９０１自体が徐々に小さくなり、特図変動遊技が終了する前に最終的には消える」ことは、保留表示として表示されている表示を、保留表示に対応する可変表示の開始後に消去されている期間があるように消去可能な表示消去手段であるという点で、本件補正発明の構成Ｃ１と共通する。
　キ　構成Ｃ４について
　上記イの検討から、引用発明の「特図Ａの１５Ｒ特別大当り、特図Ｂの１５Ｒ大当りを報知する場合には、図柄表示領域２０８ａ〜２０８ｃに同じ装飾図柄が３つ並んだ図柄組合せとして、例えば「装飾１−装飾１−装飾１」や「装飾２−装飾２−装飾２」等を停止表示し、また、特図Ｃの２Ｒ大当りを報知する場合には、「装飾１−装飾２−装飾３」や「装飾１−装飾３−装飾５」を停止表示」することは、本件補正発明の「特定表示結果」に相当し、
　上記エ（ア）、（イ）の検討から、
　引用発明の「保留アイコン」は、本件補正発明の「保留表示」に相当し、
同様に、引用発明の「白」の「表示態様」は、本件補正発明の「第１態様」に、
　引用発明の「赤」、「青」の「表示態様」は、本件補正発明の「第２態様」に相当し、
　上記カの検討から、
　引用発明の「保留アイコンを表示する装飾図柄表示装置２０８」及び「保留アイコン表示制御処理」「を行う第２副制御部５００」は、本件補正発明の「保留表示手段」に相当することを踏まえると、
　引用発明の構成ｃ１、ｃ４において、「保留アイコンの表示態様は、大当り信頼度の高い方から「赤」、「青」、「白」となって」いることは、「保留アイコン表示制御処理を行う第２副制御部５００」が、大当りとなる場合には、大当りとならない場合と比べて、「保留アイコン」を、高い割合で、「赤」、「青」の「表示態様」で表示することにほかならないから、引用発明の構成ｃ１、ｃ４は、本件補正発明の構成Ｃ４である「前記保留表示手段は、保留表示に対応する可変表示の表示結果が前記特定表示結果となる場合には前記特定表示結果とならない場合と比べて該保留表示を高い割合で前記第２態様で表示」することに相当する構成を含んでいるといえる。
　ク　構成Ｃ２について
　上記ア（ア）のとおり、本件補正発明の「保留表示手段」という用語は、保留表示に関わる所定の処理を実行する演出制御ＣＰＵと保留表示が表示される演出表示装置５とを合わせたものを表すと解釈して、対比を行うこととしているが、本件補正発明の構成Ｃ２では、「前記保留表示手段に表示されている保留表示の・・・」と特定され、「保留表示手段」は、保留表示に関わる所定の処理を実行する演出制御ＣＰＵのみを表すと理解することができず、むしろ、この場合は、保留表示が表示される演出表示装置５を表すと理解するほかない。
　そして、上記カで検討したとおり、引用発明の「保留アイコンを表示する装飾図柄表示装置２０８」及び「保留アイコン表示制御処理」「を行う第２副制御部５００」は、本件補正発明の「保留表示手段」に相当することを踏まえると、引用発明の構成ｃ２、ｃ３における「装飾図柄表示装置２０８」は、本件補正発明の「保留表示手段」に相当する構成の一部をなすものである。
　そのうえで、上記エ（ア）、（イ）の検討から、
　引用発明の「保留アイコン」は、本件補正発明の「保留表示」に相当し、
　引用発明の「「白」の表示態様」や「赤」、「青」の「表示態様」は、本件補正発明の「表示態様」に相当することを踏まえると、
　引用発明の
　「変更する」こと、
　「保留アイコンの表示態様の変化を表す情報であ」る「各保留アイコン変更シナリオに基づいて」、「保留アイコン変更処理を行」うこと、
　「保留アイコン表示制御処理を行う第２副制御部５００」は、それぞれ、
　本件補正発明の
　「変化させる」こと、
　「保留表示変化演出を実行可能」であること、
　「保留表示変化演出実行手段」に相当する。
　そうすると、引用発明の構成ｃ２、ｃ３における、「装飾図柄表示装置２０８」に「表示され」る「保留アイコン」の「白」の「表示態様」や「赤」、「青」の「表示態様」を、「保留アイコンの表示態様の変化を表す情報であ」る「各保留アイコン変更シナリオに基づいて」、「変更する」「保留アイコン変更処理を行」う「保留アイコン表示制御処理を行う第２副制御部５００」は、本件補正発明の構成Ｃ２である「前記保留表示手段に表示されている保留表示の表示態様を変化させる保留表示変化演出を実行可能な保留表示変化演出実行手段」に相当する。
　よって、引用発明の構成ｃ２、ｃ３は、本件補正発明の構成Ｃ２に相当する構成を含んでいる。
　ケ　構成Ｆ、Ｆ１について
　上記ア（イ）のとおり、本件補正発明の「対応表示手段」という用語は、対応表示に関わる所定の処理を実行する演出制御ＣＰＵと対応表示が表示される演出表示装置５とを合わせたものを表すと解釈して、対比を行うこととしているが、本件補正発明の構成Ｆでは、「前記対応表示手段に表示されている対応表示の・・・」と特定され、「対応表示手段」は、対応表示に関わる所定の処理を実行する演出制御ＣＰＵのみを表すと理解することができず、むしろ、この場合は、対応表示が表示される演出表示装置５を表すと理解するほかない。
　そして、上記エ（エ）で検討したとおり、引用発明の「変動アイコン」を「表示」する「装飾図柄表示装置２０８」及び「変動アイコン表示制御処理を行う第２副制御部５００」は、本件補正発明の「対応表示手段」に相当することを踏まえると、引用発明の構成ｆ、ｆ１、ｆ３における「装飾図柄表示装置２０８」は、本件補正発明の「対応表示手段」に相当する構成の一部をなすものである。
　そのうえで、上記エ（オ）の検討から、
　引用発明の「変動アイコン」は、本件補正発明の構成Ｆの「対応表示」に相当し、
　さらに、引用発明において、「装飾図柄表示装置２０８の表示画面ほぼ全体で実行される演出」の「開始」に伴い中断した「変動アイコンの表示」が、「装飾図柄表示装置２０８の表示画面ほぼ全体で実行される演出」の「終了」により、「再開された場合に、中断よりも前における表示態様とは異なる表示態様」とすることは、本件補正発明の構成Ｆの「表示態様を変化させる対応表示変化演出」に相当し、
　引用発明の「変動アイコン表示制御処理を行う第２副制御部５００」は、本件補正発明の構成Ｆの「対応表示変化演出実行手段」に相当することを踏まえると、
　引用発明の構成ｆ、ｆ１、ｆ３における「装飾図柄表示装置２０８」に表示される「変動アイコン」の表示態様を、「装飾図柄表示装置２０８の表示画面ほぼ全体で実行される演出」の「開始」に伴い中断した「変動アイコンの表示」が、「装飾図柄表示装置２０８の表示画面ほぼ全体で実行される演出」の「終了」により、「再開された場合に、中断よりも前における表示態様とは異なる表示態様」とする「変動アイコン表示制御処理を行う第２副制御部５００」は、本件補正発明の構成Ｆにおける「前記対応表示手段に表示されている対応表示の表示態様を変化させる対応表示変化演出を実行可能な対応表示変化演出実行手段」に相当する。
　よって、引用発明の構成ｆ、ｆ１、ｆ３は、本件補正発明の構成Ｆに相当する構成を含んでいる。
　また、引用発明の構成ｆ、ｆ１、ｆ３と本件補正発明の構成Ｆ、Ｆ１とは、「前記対応表示変化演出実行手段は、」「前記対応表示変化演出を実行可能であ」る点で共通する。
　コ　構成Ｃ３について
　上記クより、引用発明の構成ｃ２、ｃ３の、「保留アイコンの表示態様の変化を表す情報であ」る「各保留アイコン変更シナリオに基づいて」、「保留アイコン変更処理を行」うことは、本願発明の「保留表示変化演出を実行可能」であることに相当することを踏まえると、
　引用発明が、本件補正発明の「保留表示変化演出」に相当する「保留アイコン変更処理」を行うのは、「特図変動遊技が開始された」ときである。
　一方、上記ケより、本件補正発明の「対応表示変化演出」に相当する、引用発明の構成ｆの、「装飾図柄表示装置２０８の表示画面ほぼ全体で実行される演出」の「開始」に伴い中断した「変動アイコンの表示」が、「装飾図柄表示装置２０８の表示画面ほぼ全体で実行される演出」の「終了」により」「再開された場合に、中断よりも前における表示態様とは異なる表示態様」とすることにおいて、「変動アイコン」の「表示態様」が変化する時期は、「装飾図柄表示装置２０８の表示画面ほぼ全体で実行される演出」の「開始」前と「終了」後の間、すなわち、「装飾図柄表示装置２０８の表示画面ほぼ全体で実行される演出」の前後である。
　そうすると、引用発明が、本件補正発明の「保留表示変化演出」に相当する「保留アイコン変更処理」を行うのは、「特図変動遊技が開始された」ときであり、本件補正発明の「対応表示変化演出」に相当する構成を含む、引用発明の構成ｆにおいて、「変動アイコン」の「表示態様」が変化する時期は、「装飾図柄表示装置２０８の表示画面ほぼ全体で実行される演出」の前後であるから、両者の実行時期が異なるといえる。
　そして、「保留アイコンの表示態様の変化を表す情報であ」る「各保留アイコン変更シナリオに基づいて」、「保留アイコン変更処理を行」うとともに、「装飾図柄表示装置２０８の表示画面ほぼ全体で実行される演出」の「開始」に伴い中断した「変動アイコンの表示」が、「装飾図柄表示装置２０８の表示画面ほぼ全体で実行される演出」の「終了」により「再開された場合に、中断よりも前における表示態様とは異なる表示態様」とする引用発明の構成ｃ２、ｃ３と構成ｆ、ｆ１、ｆ３は、保留表示変化演出と対応表示変化演出とが実行されるという点で、本件補正発明の構成Ｃ３と共通する。
　サ　構成Ｅ１について
　（ア）上記カを踏まえると、引用発明の構成ｃ１、ｃ４において、「保留アイコン９０１」が「消える」時期は、「特図１の変動表示が開始され」てから、「特図変動遊技が終了する前」の間、すなわち、「当該特図１変動遊技」の「変動期間中に、」実行される「装飾図柄の変動表示」の期間中である。
　（イ）一方、引用発明の構成ｆ、ｆ１、ｆ３において、「変動アイコン８０１」が表示されるのは、「特図１の変動表示が開始され」た後であって、「保留アイコン９０２が、変動アイコン８０１となって、表示サイズが徐々に拡大されながら変動アイコン表示領域８００に移動して」から、「当該特図１変動遊技が終了」し、「変動アイコン８０１の消去アニメーションが実行され、表示されていた変動アイコン８０１が消去される」までの期間である。
　（ウ）ここで、上記エ（イ）を踏まえると、引用発明の「保留アイコン９０２（表示態様：青）」は、本件補正発明の「第２態様の保留表示」に相当し、
　上記エ（エ）を踏まえると、引用発明の「当該特図変動遊技」の「変動期間中に、」「開始され」た「図柄表示領域２０８ａ〜２０８ｃで」の「装飾図柄の変動表示」は、本件補正発明の「可変表示」に相当し、
　引用発明の構成ｃ、ｅの「変動アイコン８０１」は、本件補正発明Ｅの「対応表示」に相当することから、引用発明の「特図１の変動表示」の「変動期間中に、」実行される「装飾図柄の変動表示」は、本件補正発明の「該可変表示」に相当し、
　引用発明の「特図１変動遊技が終了」してから、「表示されていた変動アイコン８０１が消去される」ときが、本件補正発明の「第２タイミング」に相当し、
　あるときに、引用発明において「表示されていた変動アイコン８０１が消去される」ことは、本件補正発明において、あるとき「まで対応表示を表示」「することが可能であ」ること、及び、あるとき「の後に対応表示を非表示とすることが可能であ」ることに相当する。
　（エ）そして、上記（ア）より、引用発明の構成ｃ１、ｃ４において、本件補正発明の「保留表示」に相当する「保留アイコン９０１が「消える」時期は、「特図１の変動表示が開始され」てから、「特図変動遊技が終了する前」の間、すなわち、「当該特図１変動遊技」の「変動期間中に、」実行される「装飾図柄の変動表示」の期間中である一方、
　上記（ウ）より、本件補正発明の「第２タイミング」に相当する、引用発明の「表示されていた変動アイコン８０１が消去される」ときは、「特図１変動遊技が終了」してからであるので、
　引用発明において、「変動アイコン８０１が消去される」とき（本件補正発明の「第２タイミング」に相当。）は、「保留アイコン９０１」が「消える」時期よりも後のタイミングであるといえる。
　（オ）また、上記ア（イ）のとおり、本件補正発明の「対応表示手段」という用語は、対応表示に関わる所定の処理を実行する演出制御ＣＰＵと対応表示が表示される演出表示装置５とを合わせたものを表すと解釈して、対比を行うこととするところ、上記エ（エ）で検討したとおり、引用発明の「変動アイコン」を「表示」する「装飾図柄表示装置２０８」及び「変動アイコン表示制御処理を行う第２副制御部５００」は、本件補正発明の「対応表示手段」に相当する。
　（カ）そうすると、引用発明の構成ｃ１、ｃ４、構成ｆ、ｆ１、ｆ３、構成ｃ、ｅ、構成ｅ１において、「当該特図１変動遊技」の「変動期間中に、」実行される「装飾図柄の変動表示」の期間中に、「変動アイコン表示領域８００および保留アイコン表示領域９００で表示されている保留アイコン９０２（表示態様：青）」の「保留・変動アイコン間の移動アニメーションが開始され、・・・保留アイコン９０２が、変動アイコン８０１となって、表示サイズが徐々に拡大されながら変動アイコン表示領域８００に移動して」から、「装飾図柄表示装置２０８」及び「変動アイコン表示制御処理を行う第２副制御部５００」により、「当該特図１変動遊技が終了」し、「変動アイコン８０１の消去アニメーションが実行され、表示されていた変動アイコン８０１が消去される」ことは、本件補正発明の構成Ｅ１と、前記対応表示手段は、前記第２態様の保留表示に対応する可変表示において、該可変表示の開始後であって、保留表示が消去される時期よりも後のタイミングである第２タイミングまで対応表示を表示し、第２タイミングの後に対応表示を非表示とすることが可能であるという点で共通する。
　（キ）また、上記ケと上記（エ）とを踏まえると、引用発明の構成ｆ、ｆ１、ｆ３と本件補正発明の構成Ｆ、Ｆ３とは、「前記第２タイミングまで対応表示が表示されているときに、対応表示の表示態様を変化させる」点で共通することは明らかである。
（４）一致点及び相違点
　上記（３）によれば、本件補正発明と引用発明は、
　
「【請求項１】
Ａ　可変表示を行い、表示結果として予め定められた特定表示結果が表示されたときに遊技者にとって有利な有利状態に制御可能な遊技機であって、
Ｂ　未だ開始されていない可変表示に関する情報を、保留記憶として記憶可能な保留記憶手段と、
Ｃ　前記保留記憶手段に記憶されている保留記憶の各々に対応した保留表示を第１態様と該第１態様と異なる第２態様とで表示可能な保留表示手段と、
Ｄ’　前記保留表示手段が表示する保留表示とは別の、保留記憶数を認識可能に表示する手段と、
Ｅ　当該可変表示に対応する対応表示を表示可能な対応表示手段と、
Ｃ１’　保留表示として表示されている表示を、保留表示に対応する可変表示の開始後に消去されている期間があるように制御するよう消去可能な表示消去手段と、
Ｃ２　前記保留表示手段に表示されている保留表示の表示態様を変化させる保留表示変化演出を実行可能な保留表示変化演出実行手段と、
Ｆ　前記対応表示手段に表示されている対応表示の表示態様を変化させる対応表示変化演出を実行可能な対応表示変化演出実行手段と、
　を備え、
Ｃ３’　前記保留表示変化演出と前記対応表示変化演出とが実行され、
Ｃ４　前記保留表示手段は、保留表示に対応する可変表示の表示結果が前記特定表示結果となる場合には前記特定表示結果とならない場合と比べて該保留表示を高い割合で前記第２態様で表示し、
Ｅ１’　前記対応表示手段は、前記第２態様の保留表示に対応する可変表示において、該可変表示の開始後であって、保留表示が消去される時期よりも後のタイミングである第２タイミングまで対応表示を表示し、第２タイミングの後に対応表示を非表示とすることが可能であり、
Ｆ　前記対応表示変化演出実行手段は、
Ｆ１'　前記対応表示変化演出を実行可能であり、
Ｆ３'　前記第２タイミングまで対応表示が表示されているときに、対応表示の表示態様を変化させる、
Ａ　遊技機。」
　の点で一致し、次の点で相違する。
　［相違点］
　ア　相違点１（構成Ｄ）
　保留記憶数を認識可能に表示する手段について、本件補正発明は、「前記保留表示手段が表示する保留表示の表示態様とは異なる態様で保留記憶数を認識可能に表示する保留記憶数表示手段」を備えているのに対し、引用発明は、そのような手段を備えていない点。
　イ　相違点２（構成Ｃ１）
　保留表示として表示されている表示を消去するタイミングについて、本件補正発明は、「保留表示に対応する可変表示の開始にともなう第１タイミング」であるのに対し、引用発明は、「保留表示に対応する可変表示の開始にともなう第１タイミング」であるかどうか不明な点。
　ウ　相違点３（構成Ｃ３）
　保留表示変化演出と対応表示変化演出とが実行されるタイミングについて、本件補正発明は、両者が「同時に実行されることはな」いのに対し、引用発明は、同時に実行されることはないか否か不明な点。
　エ　相違点４（構成Ｅ１）
　上記相違点２から、構成Ｅ１について、「第２タイミング」が、「第１タイミングよりも後のタイミングである」か否かが不明である点。
　オ　相違点５（構成Ｆ１〜構成Ｆ３）
　引用発明は、本件補正発明の「表示変化示唆演出」に相当する演出を実行するものではないため、「対応表示の変化を示唆する表示変化示唆演出を実行してから前記対応表示変化演出を実行可能であり、
　対応表示に対応する可変表示の表示結果が前記特定表示結果となる場合には前記特定表示結果とならない場合と比べて高い割合で、当該可変表示がリーチ状態となった後に前記表示変化示唆演出を実行し、
　前記第２タイミングまで対応表示が表示されているときに、対応表示に対応する可変表示の表示結果が前記特定表示結果となるか否かに応じて異なる割合で、複数のタイミングのうち何れかのタイミングで対応表示の表示態様を変化させる、」という構成を備えていない点。
（５）当審の判断
　ア　相違点１（構成Ｄ）について
　（ア）本件補正発明において、「保留表示手段が表示する保留表示の表示態様」と「保留記憶数表示手段」により表示される「保留記憶数」の態様とが、「異なる態様」であるという特定について、実施例においては、保留記憶数の表示を、前者は、演出表示装置５の合算保留記憶表示部５Ｄに表示されている保留表示の個数による表示を行うことが対応し、後者は、演出表示装置５の左上部に表示されている保留合計数を表す「数字」による表示を行うこと（例えば、【０４１９】、図３６（Ｆ）参照）が対応している。
　（イ）引用発明の「保留アイコン」（本願発明の構成Ｃの「保留表示」に相当。）が、「装飾図柄表示装置２０８に」「特図変動遊技の保留数と同数表示される」（構成ｃ、ｅ）ものであることを考慮すると、「装飾図柄表示装置２０８に」表示された「保留アイコン」の数が、「特図変動遊技の保留数」を表しているということができる。
　（ウ）保留記憶数を、保留表示の個数と、それとは別に、数字で表示を行うことにより、二の異なる態様で認識可能に表示する手段を設けることは、本願出願前の従来周知の技術（以下、「周知技術１」という。）であって、例えば、次の（エ）に示すとおりである。そして、引用発明と、周知技術１とは、興趣向上及び演出効果向上の点で課題乃至作用効果が共通するとともに、保留表示を行うパチンコ機という点で技術分野が共通するから、引用発明に上記周知技術１を採用して、上記相違点１に係る本件補正発明の構成とすることは、当業者が容易に想到し得たことである。
　
　（エ）周知技術１を示す文献
　・引用文献１の【０６４５】には、「その後の図８０（ｃ）に示す時点で、通常の画面背景から所定の画面背景に切り替えられる特別演出（例えば、スーパーリーチ演出）が開始される。本例では、特別演出中には、変動アイコン表示領域８００が非表示になり、保留アイコン表示領域９００が画面右隅に移動して縦長に変形する。
画面右隅に移動した保留アイコン表示領域９００では、保留アイコン９０１〜９０３が縮小されて縦並びで表示される。
保留アイコン表示領域９００の近傍の領域において、保留数を数字で表示するようにしてもよい。
　・特開２０１４−２７９８６号公報の【０１５１】には、「図１０（ｂ）は、装飾図柄表示装置２０８の表示の別の例を示している。図１０（ｂ）に示すように、装飾図柄表示装置２０８の画面中央に位置する図柄表示領域２０８ａ〜２０８ｃでは、装飾図柄の変動表示が行われている。装飾図柄表示装置２０８の画面右上に位置する第四図柄表示領域２０８ｅには黒丸が表示されており、
特図保留数表示領域２０８ｆには「３」が表示されている。
特図１保留アイコン表示領域７０１には３つの保留アイコンが表示されており、
特図保留数表示領域２０８ｆで保留数を表示しつつ、特図１保留アイコン表示領域７０１でも保留数を表示している。
」と記載されている（図１０も参照）。
　・特開２００２−２４８２２４号公報の【００４６】には、「上述のように、
特別記憶単位図柄Ｘ「お化け」
が表示領域Ｄで記憶演出表示態様を実行している場合として、各図柄が複数表示されていると、各始動記憶数を遊技者が正確に認識することが難しくなる恐れも考えられる。そのため、図６に示すように各始動記憶数を数字で表示した記憶表示数Ｆを、「お化け」
とにそれぞれ付加して表すようにしても良い。
表示領域Ｄに始動記憶数と同数の「お化け」
を表示し、かつその時点での記憶表示数Ｆを表示中の全ての「お化け」
に表示させて、始動記憶数の増減に伴って、「お化け」
の表出数が変化する度に、「お化け」
に表示した始動記憶数の記憶表示数Ｆを書き換えるようにしても良い。
　イ　相違点２（構成Ｃ１）及び相違点４（構成Ｅ１）について
　相違点２及び相違点４をまとめて検討する。
　（ア）判断１
　本件補正発明において、保留表示として表示されている表示を消去するタイミングについて、「保留表示に対応する可変表示の開始にともなう第１タイミング」であるとしている。
　ここで、「ともなう」という用語には、「ある事柄に応じて生ずる。」（大辞林第３版）という意味や、あるいは、「ある物事に付随して別の物事が起こる」（デジタル大辞泉）という意味があることから、本件補正発明における「可変表示の開始にともなう第１タイミング」とは、可変表示の開始に応じて生じること、あるいは、可変表示の開始に付随して起こることを表していると認められる。
　そして、引用発明の構成ｃ１、ｃ４において、装飾図柄表示装置２０８に表示されている「保留アイコン９０１（表示態様：白）」の消去が、「次の特図１変動遊技の変動期間中に、・・・図柄表示領域２０８ａ〜２０８ｃでは、装飾図柄の変動表示が開始され、保留アイコンを表示する装飾図柄表示装置２０８の保留アイコン表示領域９００において、保留アイコン９０１の消去アニメーションが開始され、保留アイコン９０１の消去アニメーションでは、保留アイコン９０１の周囲に例えば光を表すエフェクト動画像が表示され、エフェクト動画像および保留アイコン９０１自体が徐々に小さくなり、特図変動遊技が終了する前に最終的には消える」ことは、
　「保留アイコン９０１（表示態様：白）」の消去が、「装飾図柄の変動表示が開始され」ることに応じて、あるいは、付随して、「保留アイコン９０１の消去アニメーションが開始され」、「保留アイコン」が「最終的には消える」ことが起きているということができる。
　そうすると、引用発明の構成ｃ１、ｃ４において、装飾図柄表示装置２０８に表示されている「保留アイコン９０１（表示態様：白）」の消去が、「次の特図１変動遊技の変動期間中に、・・・図柄表示領域２０８ａ〜２０８ｃでは、装飾図柄の変動表示が開始され、保留アイコンを表示する装飾図柄表示装置２０８の保留アイコン表示領域９００において、保留アイコン９０１の消去アニメーションが開始され、保留アイコン９０１の消去アニメーションでは、保留アイコン９０１の周囲に例えば光を表すエフェクト動画像が表示され、エフェクト動画像および保留アイコン９０１自体が徐々に小さくなり、特図変動遊技が終了する前に最終的には消える」制御を行うことは、本件補正発明の構成Ｃ１である「保留表示として表示されている表示を、保留表示に対応する可変表示の開始にともなう第１タイミングにて消去可能な表示消去手段」に相当する構成を含んでいるといえる。
　また、上記（４）サ（エ）で検討したとおり、引用発明において、「変動アイコン８０１が消去される」とき（本件補正発明の「第２タイミング」に相当。）は、「保留アイコン９０１」が「消える」タイミング（本件補正発明の「第１タイミング」に相当。）よりも後であるから、本件補正発明の構成Ｅ１について、「第２タイミング」が、「第１タイミングよりも後のタイミングである」とするものである。
　よって、引用発明の構成ｃ１、ｃ４と構成ｆ、ｆ１、ｆ３、構成ｃ、ｅ、構成ｅ１とは、本件補正発明の構成Ｃ３に相当する構成を含んでいるといえ、上記相違点２及び相違点４は、実質的に相違しない。
　（イ）判断２
　本件補正発明において、保留表示として表示されている表示を消去するタイミングについて、「保留表示に対応する可変表示の開始にともなう第１タイミング」であるとしている。
　これに関し、明細書の【０００６】には、「・・・前記保留表示手段により保留表示が前記第１態様で表示されている場合に、該第１態様の保留表示を、該第１態様の保留表示に対応する前記識別情報の可変表示の開始にともなう第１タイミングにて消去可能な表示消去手段（例えば、通常態様の保留表示にもとづく変動開始時に、演出制御用ＣＰＵ１２０が図２８に示す演出図柄変動開始処理のＳ１８０７ｃにてアクティブ表示記憶バッファの表示態様フラグに非表示態様に対応する値「４」をセットすることで、消費保留表示を消去可能な部分）と、」と記載されていることから、当該記載に則して、本件補正発明における「可変表示の開始にともなう第１タイミング」とは、可変表示の開始時を意図している可能性があるので、念のため検討する。
　パチンコ遊技機の分野において、保留表示として表示されている表示を消去するタイミングを保留表示に対応する可変表示の開始時とすることは本願出願前の従来周知の技術（以下、「周知技術２」という。）であって、例えば、例えば、次に示すとおりである。
　周知技術２を示す文献は、次のとおりである。
　・特開２０１２−４５３１１号公報（以下、「周知例１」という。）には、以下の事項が記載されている（下線は、当審が付した。）。
　「【００１２】
　以下、本発明をパチンコ遊技機に具体化した一実施形態を図１〜図１３にしたがって説明する。  図１に示すように、
パチンコ遊技機
演出表示装置１１
行う図柄変動ゲーム
・・・
【００１７】
　そして、
画像表示部ＧＨは、保留記憶数に対応する保留表示画像Ｋを表示
・・・
【００２１】
　そして、本実施形態のパチンコ遊技機では、複数回の図柄変動ゲームに亘って所定の演出を実行させる
先読み演出としての
保留予告演出の実行中
保留記憶数を示す保留表示画像Ｋの表示態様を変更するようになってい
・・・
【００８２】
　次に、
演出制御用ＣＰＵ３１ａ
保留予告演出の対象となる図柄変動ゲームが実行開始されたか否かを判定する
【００８３】
　一方、ステップＳ１１２の
判定結果が肯定の場合、
保留予告演出の対象となる保留表示画像が消去される
　上記記載事項より、周知例１には、
　パチンコ遊技機の図柄変動ゲームを行う演出表示装置１１において、演出表示装置１１の画像表示部ＧＨは、保留記憶数に対応する保留表示画像Ｋを表示し、先読み演出としての保留予告演出を実行中には、保留記憶数を示す保留表示画像Ｋの表示態様を変更するようになっていて、
　保留予告演出の対象となる図柄変動ゲームが実行開始されたか否かを判定する演出制御用ＣＰＵ３１ａによる判定結果が肯定の場合、保留予告演出の対象となる保留表示画像が消去される技術、が記載されていると認められる（【００１２】、【００１７】、【００２１】、【００８２】、【００８３】）。
　・特開２０１３−１８８５４５号公報（以下、「周知例２」という。）には、以下の事項が記載されている（下線は、当審が付した。）。
　「【０００９】
〔第１の実施の形態〕
　以下、図面を用いて、本発明の第１の実施の形態に係る遊技台（例えば、
パチンコ機１００
【００２０】
　
装飾図柄表示装置２０８は、
左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する
【０２７２】
　これらの事前判定結果の情報を含むコマンドを受信した第１副制御部４００は、図１８に示す始動情報入賞時の第１副制御部先読み予告実行処理を事前判定結果毎に実行する。例えば、１個目および２個目の保留に係る特図１変動遊技は、先読みの抽選処理が非当選となる（ステップＳ１２０３、Ｓ１２０４のＮｏ）。また、３個目の保留に係る特図１変動遊技は、先読みの抽選処理に当選し（ステップＳ１２０３、Ｓ１２０４のＹｅｓ）、３個目の保留であるため、先読み予告実行回数として「３」が設定され（ステップＳ１２０５）、先読み実行中フラグがオン状態に設定され（ステップＳ１２０６）、先読み種別として事前判定結果（停止図柄（例えば、「特図Ａ」および変動時間（６５０００ｍｓ））が記憶され（ステップＳ１２０７）、保留表示画像ａ３の表示色を含む先読み予告コマンドが装飾図柄表示装置２０８に出力される（ステップＳ１２０８）。この結果、図２５（ａ）に示すように、
所定の色に塗り潰された円形の保留表示画像ａ１
が演出表示領域２０８ｄ内の下方左寄りの保留表示領域２０８ｄ１に表示され
【０２７３】
　
演出表示領域２０８ｄに設けられた
保留表示領域２０８ｄ１は、特図１乱数値記憶領域に記憶されている複数の特図１乱数値の組のうちの一の特図１乱数値の組に対して一の特図１変動遊技の保留表示を行うことで特図１保留数を報知可能に構成されている
保留表示領域２０８ｄ１は、事前予告報知の対象
となる図柄変動表示に対応する特図１変動遊技の保留表示を変化させることで、先読み予告報知を実行可能なように構成され
【０２７４】
　本例では、保留表示領域２０８ｄ１に、
１個目に保留された特図１変動遊技に対応する保留表示画像ａ１
・・・
【０３１０】
　図２７（ｃ）に示すように、装飾図柄表示装置２０８の左中右図柄表示領域２０８ａ、２０８ｂ、２０８ｃのそれぞれに図中下向きの太矢印で示すように装飾図柄が上から下に移動（回転）する演出の特図１変動遊技が開始される。また、第１副制御部４００は、特図１保留数が１減少した情報を含むコマンドを受信しているので、図２７（ｃ）に示すように、保留表示画像ａ１の表示は消去される。」
　また、周知例２の図２７は、次に示すものである。
「
　　　　　　　　　　　　　　　　　　　　　　　　　　　　　　　　　」
　上記記載事項より、周知例２には、
　パチンコ機１００の装飾図柄表示装置２０８は、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示するものであって、
　所定の色に塗り潰された円形の保留表示画像ａ１が演出表示領域２０８ｄ内の下方左寄りの保留表示領域２０８ｄ１に表示され、
　演出表示領域２０８ｄに設けられた保留表示領域２０８ｄ１は、特図１乱数値記憶領域に記憶されている複数の特図１乱数値の組のうちの一の特図１乱数値の組に対して一の特図１変動遊技の保留表示を行うことで特図１保留数を報知可能に構成されているとともに、事前予告報知の対象となる図柄変動表示に対応する特図１変動遊技の保留表示を変化させることで、先読み予告報知を実行可能なように構成され、
　１個目に保留された特図１変動遊技に対応する保留表示画像ａについて、装飾図柄表示装置２０８の左中右図柄表示領域２０８ａ、２０８ｂ、２０８ｃのそれぞれに装飾図柄が上から下に移動する演出の特図１変動遊技が開始されると、保留表示画像ａ１の表示は消去される技術、が記載されていると認められる（【０００９】、【００２０】、【０２７２】〜【０２７４】、【０３１０】、図２７）。
　そして、引用発明と、周知技術２とは、保留表示を行うパチンコ機という点で共通するから、引用発明に上記周知技術２を採用して、保留表示として表示されている表示を消去するタイミングを保留表示に対応する可変表示の開始時とすること、すなわち、保留表示として表示されている表示を消去するタイミングを保留表示に対応する可変表示の開始にともなう第１タイミングとするという上記相違点２に係る本件補正発明の構成とすること、及び、
上記（４）サ（ウ）より、本件補正発明の「第２タイミング」に相当する、引用発明の「表示されていた変動アイコン８０１が消去される」ときは、可変表示の開始時よりも後のタイミングであることは明らかであるから、本件補正発明の構成Ｅ１について、「第２タイミング」が、「第１タイミングよりも後のタイミングである」とする上記相違点４に係る本件補正発明の構成とすることは、当業者が容易に想到し得たことである。
　ウ　相違点３（構成Ｃ３）について
　（ア）判断１
　保留表示変化演出と対応表示変化演出とが実行されるタイミングについて、本件補正発明は、両者が「同時に実行されることはな」いとの特定は、保留表示変化演出と対応表示変化演出とが実行されるタイミングが、「同時」でなはいこと、すなわち、両者が実行されるタイミングが異なることを意味していると理解できるので、当該理解に基づき検討を行う。
　
　上記（３）コより、引用発明の構成ｃ２、ｃ３の、「保留アイコンの表示態様の変化を表す情報であ」る「各保留アイコン変更シナリオに基づいて」、「保留アイコン変更処理を行」うことは、本願発明の「保留表示変化演出を実行可能」であることに相当することを踏まえると、
　引用発明が、本件補正発明の「保留表示変化演出」に相当する「保留アイコン変更処理」を行うのは、「特図変動遊技が開始された」ときである。
　一方、上記（３）ケより、本件補正発明の「対応表示変化演出」に相当する、引用発明の構成ｆの、「装飾図柄表示装置２０８の表示画面ほぼ全体で実行される演出」の「開始」に伴い中断した「変動アイコンの表示」が、「装飾図柄表示装置２０８の表示画面ほぼ全体で実行される演出」の「終了」により」「再開された場合に、中断よりも前における表示態様とは異なる表示態様」とすることにおいて、「変動アイコン」の「表示態様」が変化する時期は、「装飾図柄表示装置２０８の表示画面ほぼ全体で実行される演出」の「開始」前と「終了」後の間、すなわち、「装飾図柄表示装置２０８の表示画面ほぼ全体で実行される演出」の前後である。
　そうすると、引用発明が、本件補正発明の「保留表示変化演出」に相当する「保留アイコン変更処理」を行うのは、「特図変動遊技が開始された」ときであり、本件補正発明の「対応表示変化演出」に相当する構成を含む、引用発明の構成ｆにおいて、「変動アイコン」の「表示態様」が変化する時期は、「装飾図柄表示装置２０８の表示画面ほぼ全体で実行される演出」の前後であるから、両者の実行時期が異なる、すなわち、両者が「同時に実行されることはな」いといえる。
　よって、引用発明の構成ｃ２、ｃ３と構成ｆとは、本件補正発明の構成Ｃ３に相当する構成を含んでいるといえ、上記相違点３は、実質的に相違しない。
　（イ）判断２
　保留表示変化演出と対応表示変化演出とが実行されるタイミングについて、本件補正発明は、両者が「同時に実行されることはな」いと特定されている。
　この特定について、明細書の【０２５０】には、「先読み対象フラグがセットされると、Ｓ６７１０１の処理によって、先読み演出を重ねて実行しないように制御される。すなわち、本実施例では、いずれかの保留表示または消費保留表示において先読み演出の実行が決定されている場合には、新たに先読み演出を実行しないように制御される。したがって、複数の保留表示または保留表示と消費保留表示が第１特別態様、第２特別態様や特殊態様で同時に表示されることが防止されているので、遊技者がいずれの保留表示・消費保留表示に注目すればよいか迷うことがなくなり、遊技者を混乱させてしまうことを防止することができる。」という実施例が記載されている。
　実施例を踏まえて、上記の特定が、保留表示を用いた予告と、保留表示に隣接した位置で実行される当該変動の予告とが、重複して実行されることはないことを意図していると解釈して検討する。
　パチンコ遊技機の分野において、保留表示を用いた予告と、保留表示に隣接した位置で実行される当該変動の予告とが、重複して実行されることはないことは、本願出願前の従来周知の技術（以下、「周知技術３」という。）であって、例えば、次に示すとおりである。
　そして、引用発明と、周知技術３とは、保留表示を用いた予告と、保留表示に隣接した位置で当該変動に関する予告を実行するパチンコ機という点で共通するから、引用発明に上記周知技術３を採用して、上記相違点３に係る本件補正発明の構成とすることは、当業者が容易に想到し得たことである。
　周知技術３を示す文献は、次のとおりである。
　・特開２０１３−１５８５３０号公報（以下、「周知例３」という。）には、以下の事項が記載されている（下線は、当審が付した。）。
　「【００２０】
　
パチンコ遊技機１
　「【００２２】
　
遊技領域７の中央付近に
演出表示装置９
設けられ
　「【００３１】
　また、演出表示装置９の
表示画面の下部には、
所定演出を実行する所定演出実行エリア９Ｆが設けられ
　「【００４４】
　また、演出表示装置９の表示画面の下部には、
第１保留記憶数を表示する第１保留記憶表示部９ａと第２保留記憶数を表示する第２保留記憶表示部９ｂとが設けられ
　「【０３４８】
　また、この実施の形態では、
新たな始動入賞が発生して始動入賞時にコマンドを受信しても、所定演出の実行中である場合
保留予告演出が制限され
【０３４９】
　なお、この実施の形態において、「
保留予告演出を制限する
保留予告制限期間内に発生した始動入賞に対応する保留記憶に対して、全く保留予告演出の設定を行わず保留予告演出を実行しない
既に現在表示中である保留表示に対応する保留記憶に対して、遡及的に保留予告演出を実行することを禁止
することも含まれる
　「【０３６６】
　なお、「所定演出」とは、可変入賞球装置１５が遊技球が進入しやすい状態（開放状態）に制御される可能性を報知する演出である。・・・具体的には、所定演出実行エリア９Ｆにおいて普通図柄の変動表示に対応してルーレットを回転させるような態様の演出を実行し、可変入賞球装置１５が開放状態となる場合には
所定演出実行エリア９Ｆに
【０３６７】
　なお、所定演出を実行することにより、可変入賞球装置１５が遊技球が進入しやすい状態（開放状態）に制御される可能性を報知だけでなく、リーチ演出が実行されるか否かや大当りとなる可能性を報知するようにしてもよい。この場合、例えば、所定演出の表示結果として「○」や「×」に代えて
「チャンス」や「激熱」の表示結果を停止表示することによって、リーチとなる可能性
や大当りとなる可能性を報知
　「【０３９５】
　・・・保留予告演出（青）は、予告対象の保留表示を青色の丸形表示で表示する態様の保留予告演出である。また、保留予告演出（赤）は、予告対象の保留表示を赤色の丸形表示で表示する態様の保留予告演出である。また、保留予告演出（虹）は、予告対象の保留表示を虹色の丸形表示で表示する態様の保留予告演出である。なお、この実施の形態では、通常の表示態様（保留予告演出を行わない場合の表示態様）で保留表示を表示する場合、その保留表示を緑色の丸形表示で表示するものとする。」
　「【０５２１】
　また、この実施の形態によれば、
第１保留記憶表示部９ａや第２保留記憶表示部９ｂにおいて通常の表示態様（
緑色の丸形表示）とは異なる保留予告演出用の表示態様（
青色や赤色、虹色の丸形表示）で保留表示を表示する
　「
　　　　　　　　　　　　　　　　　　　　　　　　　　　　　　　　　」
　上記記載事項より、周知例３には、パチンコ遊技機１の遊技領域７の中央付近に設けられた演出表示装置９において、
　表示画面の下部には、所定演出を実行する所定演出実行エリア９Ｆと第１保留記憶数を表示する第１保留記憶表示部９ａと第２保留記憶数を表示する第２保留記憶表示部９ｂとが設けられ、
　第１保留記憶表示部９ａや第２保留記憶表示部９ｂにおいて通常の表示態様（緑色の丸形表示）と、通常の表示態様とは異なる保留予告演出用の表示態様（青色や赤色、虹色の丸形表示）で保留表示を表示するとともに、
　所定演出実行エリア９Ｆに、「チャンス」や「激熱」の表示結果を停止表示することによって、リーチとなる可能性や大当りとなる可能性を報知することがあり、
　新たな始動入賞が発生して始動入賞時にコマンドを受信しても、所定演出の実行中である場合、保留予告演出が制限され、
　保留予告演出を制限することには、保留予告制限期間内に発生した始動入賞に対応する保留記憶に対して、全く保留予告演出の設定を行わず保留予告演出を実行しないことと、既に現在表示中である保留表示に対応する保留記憶に対して、遡及的に保留予告演出を実行することを禁止することも含まれる技術が記載されていると認められる。
　・特開２０１４−２１２９４０号公報（以下、「周知例４」という。）には、以下の事項が記載されている（下線は、当審が付した。）。
　「【００２６】
　
パチンコ遊技機１
　「【００２８】
　
遊技領域７の中央付近に
演出表示装置９
設けられ
　「【００３７】
　また、演出表示装置９の
表示画面の下部には、
所定演出を実行する所定演出実行エリア９Ｆが設けられ
　「【００５０】
　また、演出表示装置９の表示画面の下部には、
第１保留記憶数を表示する第１保留記憶表示部９ａと第２保留記憶数を表示する第２保留記憶表示部９ｂとが設けられ
　「【０３５９】
　また、この実施の形態では、
新たな始動入賞が発生して始動入賞時にコマンドを受信しても、所定演出の実行中である場合
保留予告演出が制限され
【０３６０】
　なお、この実施の形態において、「
保留予告演出を制限する
保留予告制限期間内に発生した始動入賞に対応する保留記憶に対して、全く保留予告演出の設定を行わず保留予告演出を実行しない
既に現在表示中である保留表示に対応する保留記憶に対して、遡及的に保留予告演出を実行することを禁止
することも含まれる
　「【０３７７】
　なお、「所定演出」とは、可変入賞球装置１５が遊技球が進入しやすい状態（開放状態）に制御される可能性を報知する演出である。・・・具体的には、所定演出実行エリア９Ｆにおいて普通図柄の変動表示に対応してルーレットを回転させるような態様の演出を実行し、可変入賞球装置１５が開放状態となる場合には
所定演出実行エリア９Ｆに
【０３７８】
　なお、所定演出を実行することにより、可変入賞球装置１５が遊技球が進入しやすい状態（開放状態）に制御される可能性を報知だけでなく、リーチ演出が実行されるか否かや大当りとなる可能性を報知するようにしてもよい。この場合、例えば、所定演出の表示結果として「○」や「×」に代えて
「チャンス」や「激熱」の表示結果を停止表示することによって、リーチとなる可能性
や大当りとなる可能性を報知
　「【０４０６】
　・・・保留予告演出（青）は、予告対象の保留表示を青色の丸形表示で表示する態様の保留予告演出である。また、保留予告演出（赤）は、予告対象の保留表示を赤色の丸形表示で表示する態様の保留予告演出である。また、保留予告演出（虹）は、予告対象の保留表示を虹色の丸形表示で表示する態様の保留予告演出である。なお、この実施の形態では、通常の表示態様（保留予告演出を行わない場合の表示態様）で保留表示を表示する場合、その保留表示を緑色の丸形表示で表示するものとする。」
　「【０５３２】
　また、この実施の形態によれば、
第１保留記憶表示部９ａや第２保留記憶表示部９ｂにおいて通常の表示態様（
緑色の丸形表示）とは異なる保留予告演出用の表示態様（
青色や赤色、虹色の丸形表示）で保留表示を表示する
　「
　　　　　　　　　　　　　　　　　　　　　　　　　　　　　　　　　」
　上記記載事項より、周知例４には、パチンコ遊技機１の遊技領域７の中央付近に設けられた演出表示装置９において、
　表示画面の下部には、所定演出を実行する所定演出実行エリア９Ｆと第１保留記憶数を表示する第１保留記憶表示部９ａと第２保留記憶数を表示する第２保留記憶表示部９ｂとが設けられ、
　第１保留記憶表示部９ａや第２保留記憶表示部９ｂにおいて通常の表示態様（緑色の丸形表示）と、通常の表示態様とは異なる保留予告演出用の表示態様（青色や赤色、虹色の丸形表示）で保留表示を表示するとともに、
　所定演出実行エリア９Ｆに、「チャンス」や「激熱」の表示結果を停止表示することによって、リーチとなる可能性や大当りとなる可能性を報知することがあり、
　新たな始動入賞が発生して始動入賞時にコマンドを受信しても、所定演出の実行中である場合、保留予告演出が制限され、
　保留予告演出を制限することには、保留予告制限期間内に発生した始動入賞に対応する保留記憶に対して、全く保留予告演出の設定を行わず保留予告演出を実行しないことと、既に現在表示中である保留表示に対応する保留記憶に対して、遡及的に保留予告演出を実行することを禁止することも含まれる技術が記載されていると認められる。
　エ　相違点５について
　（ア）対応表示の変化を示唆する表示変化示唆演出を実行してから対応表示変化演出を実行可能であり、
　対応表示に対応する可変表示の表示結果が前記特定表示結果となる場合には前記特定表示結果とならない場合と比べて高い割合で、当該可変表示がリーチ状態となった後に前記表示変化示唆演出を実行し、
　第２タイミングまで対応表示が表示されているときに、対応表示に対応する可変表示の表示結果が前記特定表示結果となるか否かに応じて異なる割合で、複数のタイミングのうち何れかのタイミングで対応表示の表示態様を変化させる技術は、本願出願前の従来周知の技術（以下、「周知技術４」という。）であって、例えば、次の（イ）、（ウ）に示すとおりである。
　（イ）周知技術４を示す文献
　・特開２０１４−２３６９６２号公報（以下、「周知例５」という。）には、図面と共に次の事項が記載されている（下線は当審にて付した。）。
　ａ　記載事項
　（ａ）「【技術分野】
【０００１】
　本発明は、遊技媒体が始動領域を通過した後に、可変表示の開始条件が成立したことにもとづいて識別情報の可変表示を行い、識別情報の表示結果が特定表示結果になったときに遊技者にとって有利な特定遊技状態に制御する
パチンコ遊技機
　（ｂ）「【００２４】
　遊技領域７の中央付近には、液晶表示装置（ＬＣＤ）で構成された演出表示装置９が設けられている。演出表示装置９では、第１特別図柄または第２特別図柄の可変表示に同期した装飾用（演出用）の
演出図柄
の可変表示が行われる
演出表示装置９の表示画面には、例えば「左」、「中」、「右」の３つの演出図柄を可変表示する図柄表示エリア
・・・
【００３５】
　また、演出表示装置９の表示画面には、第１保留記憶数を表示する第１保留記憶表示部１８ｃと、第２保留記憶数を表示する第２保留記憶表示部１８ｄとが設けられている。なお、第１保留記憶数と第２保留記憶数との合計である合計数（合算保留記憶数）を表示する領域（合算保留記憶表示部）が設けられるようにしてもよい。合計数を表示する合算保留記憶表示部が設けられているようにすれば、可変表示の開始条件が成立していない実行条件の成立数の合計を把握しやすくすることができる。
【００３６】
　また、
演出表示装置９の表示画面には、実行中の可変表示に対応する保留表示を可変表示対応保留表示として表示する保留ボックス
９Ｆの表示領域があ
・・・
【００６０】
　
演出制御基板８０は、演出制御用ＣＰＵ１０１、および演出図柄プロセスフラグ等の演出に関する情報を記憶するＲＡＭを含む演出制御用マイクロコンピュータ１００を搭載し
演出制御用ＣＰＵ１０１は、演出制御コマンドにもとづいて、ＶＤＰ
１０９に演出表示装置９の表示制御を行わせ
【００６１】
　この実施の形態では、
演出制御用マイクロコンピュータ１００と共動して演出表示装置９の表示制御を行うＶＤＰ１０９
【００６２】
　演出制御用ＣＰＵ１０１は、受信した演出制御コマンドに従ってＣＧＲＯＭ（図示せず）から必要なデータを読み出すための指令をＶＤＰ１０９に出力する。ＣＧＲＯＭは、演出表示装置９に表示されるキャラクタ画像データや動画像データ、具体的には、人物、文字、図形や記号等（演出図柄を含む）、および背景画像のデータをあらかじめ格納しておくためのＲＯＭである。ＶＤＰ１０９は、演出制御用ＣＰＵ１０１の指令に応じて、ＣＧＲＯＭから画像データを読み出す。そして、ＶＤＰ１０９は、読み出した画像データにもとづいて表示制御を実行する。」
　（ｃ）「【０２２２】
　図２６は、保留表示の変化例を示す説明図である。図２６には、始動入賞にもとづく演出図柄の可変表示（変動）が開始される前に保留表示の態様（表示態様）が変化する変動開始前態様変化の例が示されている。なお、図２６には、可変表示（変動）が開始される前の時点として、始動入賞が生じたときが例示されている。
【０２２３】
　図２６に示す例では、左中右の図柄表示エリア９Ｌ，９Ｃ，９Ｒにおいて演出図柄の可変表示が実行されているときに（図２６（Ａ）参照）、新たな始動入賞が発生すると、保留表示の数が１増えるが、新たな始動入賞に対応する保留表示（保留表示Ａとする。）は、通常態様とは異なる態様で表示されることがある（図２６（Ｂ）参照）。
・・・
【０２２６】
　図２７［左側］に示す例では、
可変表示を開始可能な状態になると
演出制御用ＣＰＵ１０１
は、可変表示を開始するときに、開始される可変表示に対応する
保留表示Ｂ
を保留ボックス９Ｆの内部に表示
【０２２７】
　その
後、リーチになる前に、
保留表示部９Ｆの近傍
に所定のキャラクタ画像９ａを表示する
保留ボックス９Ｆの内部で保留表示の態様を変化させ
【０２２８】
　そして、
リーチになった後、最終停止図柄
導出表示さ
【０２２９】
　図２７［右側］に示す例では、
可変表示を開始可能な状態になると
可変表示を開始するときに、開始される可変表示に対応する
保留表示Ｃ
を保留ボックス９Ｆの内部に表示
【０２３０】
　その
後、リーチになる前に、
保留表示部９Ｆの近傍
に所定のキャラクタ画像９ａを表示する
この時点では、保留ボックス９Ｆの内部で保留表示の態様は変化
【０２３１】
　そして、
リーチになった後、
保留ボックス９Ｆの内部で保留表示の態様を変化させ
【０２３２】
　なお、可変表示開始時を起点として、図２７［右側］においてキャラクタ画像９ａの表示が開始される時点は、図２７［左側］においてキャラクタ画像９ａの表示が開始される時点と同じである。
・・・
【０２３４】
　また、この実施の形態では、演出制御用マイクロコンピュータ１００は、
キャラクタ画像９ａを表示した場合に、リーチになる前またはリーチになった後に保留表示の態様が必ず変化するように制御
　（ｄ）「【図２７】
                                                                　」
 
　（ｅ）図２７［右側］の（Ｄ）には、リーチになった後（リーチ演出中）、キャラクタ画像９ａは表示されていることが記載されている。
　（ｆ）「【０２４９】
　図３１は、ステップＳ６００２の処理で使用される保留予告演出決定テーブルの一例を示す説明図である。図３１に例示する
保留予告演出決定テーブル
始動入賞時の保留表示の態様、リーチ前の保留表示の態様、およびリーチ後の保留表示の態様と、判定値とが、対応して設定されている
【０２５０】
　図３１に示す例において、始動入賞時の保留表示の態様、リーチ前の保留表示の態様、リーチ後の保留表示の態様が、「青」、「青」、「青」のパターンは、保留予告を実行しないことに対応するパターンである。「青」は、保留表示の通常態様だからである。
【０２５１】
　
「青」、「青」、「黄」のパターン
リーチ演出中
にのみ保留予告を実行することに対応する
【０２５２】
　「黄」、「赤」、「赤」のパターンは、始動入賞時およびリーチ前に保留予告を実行することに対応するパターンである。「青」、「赤」、「赤」のパターンは、リーチ前にのみ保留予告を実行することに対応するパターンである。
「黄」、「黄」、「赤」のパターン
始動入賞時およびリーチ演出中に保留予告を実行することに対応する
「青」、「黄」、「赤」のパターン
リーチ前およびリーチ演出中に保留予告を実行することに対応する
【０２５３】
　なお、この実施の形態では、入賞時判定結果コマンドが大当りを示すコマンドである場合に使用される保留予告演出決定テーブル（
大当りの場合に使用される保留予告演出決定テーブル
スーパーリーチはずれの場合に使用される保留予告演出決定テーブル
とがあ
【０２５４】
　また、大当りの場合に使用される保留予告演出決定テーブルでは、スーパーリーチはずれの場合に使用される保留予告演出決定テーブルに比べて、始動入賞時に保留表示の表示態様が「赤」になるパターン（パターン５）に多くの判定値が割り合てられている。すなわち、演出制御用マイクロコンピュータ１００は、可変表示が開始される前に特定表示結果になると判定した場合と特定表示結果にならないと判定した場合とで、異なる割合で特定態様で保留表示を表示する。
【０２５５】
　また、
「赤」の態様に着目すると、大当りの場合に使用される保留予告演出決定テーブルでは、スーパーリーチはずれの場合に使用される保留予告演出決定テーブルに対して、遅いタイミング
リーチ演出中
「赤」の態様に変化する
パターン８，９
に、早いタイミング
始動入賞時
および
リーチ前
「赤」の態様に変化する
パターン６，７
に比べて、多くの判定値が割り当てられている
可変表示の表示結果が特定表示結果になるか否かに応じて、複数のタイミングのうちいずれのタイミングで特定態様に変化させるかの割合を異ならせる
【０２５６】
　また、「赤」の態様に着目すると、大当りの場合に使用される保留予告演出決定テーブルでは、スーパーリーチはずれの場合に使用される保留予告演出決定テーブルに対して、始動入賞時に「赤」の態様に変化するパターン（パターン５）に、可変表示開始中（具体的には、「リーチ前」および「リーチ演出中」）に「赤」の態様に変化するパターン（パターン６，７，８，９）に比べて、少ない判定値が割り当てられている（割り当てられている判定値の割合が低い）。すなわち、可変表示中に保留表示の態様が特定態様に変化するときと、可変表示開始前に保留表示の態様が特定態様に変化するときとで、可変表示の表示結果が特定表示結果になる割合が異なる。
・・・
【０２６２】
　
演出制御用ＣＰＵ１０１は、
保留予告決定用乱数を抽出し、抽出した乱数に一致する判定値（保留予告演出決定テーブルに設定されている判定値）に対応するパターンを、保留表示を変化させるパターンとして決定
　（ｇ）「【図３１】
　　　　　　　　　　　　　　　　　　　　　　　　　　　　　　　　　」
 （ｈ）始動入賞時の保留表示の態様、リーチ前の保留表示の態様、およびリーチ後の保留表示の態様と、判定値とが、対応して設定されている保留予告演出決定テーブルの一例を示す説明図である図３１には、
・上段に「大当りの場合に使用」するテーブルと、下段に「スーパーリーチはずれの場合に使用」するテーブルという２つのテーブルが記載され、
・各テーブルには、「１」〜「９」までの数字が付された「パターン」ごとに、数字と、「保留態様変化時期」と、「判定数値（％）」と、「備考」が記載され、
　上段の「大当りの場合に使用する」テーブルにおいて、
・「青」、「青」、「黄」のパターン２には、「判定値数（％）」に「２」が振られ、「備考」に、「リーチ演出中にのみ実行」と、
・「黄」、「黄」、「赤」のパターン８には、「判定値数（％）」に「２４」が振られ、「備考」に、「始動入賞時とリーチ演出中に実行」と、
・「青」、「黄」、「赤」のパターン９には、「判定値数（％）」に「２５」が振られ、「備考」に、「リーチ前及びリーチ演出中に実行」と記載され、
　下段の「スーパーリーチはずれの場合に使用」するテーブルにおいて、
・パターン２には、「判定値数（％）」に「２０」が振られ、
・パターン８には、「判定値数（％）」に「５」が振られ、
・パターン９には、「判定値数（％）」に「１０」が振られている。
　ｂ　認定事項
　（ａ）認定事項１
　上記ａ（ｇ）、（ｈ）及び、上記ａ（ｆ）の記載（下線を付した箇所）から、
　周知例５には、
　保留態様変化時期にリーチ演出中が含まれるパターン２、パターン８及びパターン９を併せた判定値数は、大当りの場合に使用される保留予告演出決定テーブルにおいて５１％を占める一方、スーパーリーチはずれの場合に使用される保留予告演出決定テーブルにおいて３５％を占めること、すなわち、保留態様変化時期にリーチ演出中が含まれるパターン２、パターン８及びパターン９が実行される割合は、大当りとなる場合には５１％であり、スーパーリーチはずれとなる場合には３５％であることが記載されているので、
　このことから、「保留態様変化時期にリーチ演出中が含まれるパターン２、パターン８及びパターン９が実行される割合」が、「大当りとなる場合」の割合である「５１％」は、「スーパーリーチはずれとなる場合」の割合である「３５％」と比べて高い割合である、すなわち、大当りとなる場合には大当りとならない場合と比べて高い割合で、保留態様変化時期にリーチ演出中が含まれることが記載されていると認められる。
　ｃ　周知例５に記載の技術
　上記ａ、ｂより、周知例５には、次の技術（以下、「周知例５に記載の技術」という。）が記載されていると認められる（符号ｆ１−ｆ３は、本件補正発明の分説Ｆ１−Ｆ３におおむね対応させて当審が付した。）。
　周知例５に記載の技術
「ｆ１、ｆ２　パチンコ遊技機の演出図柄の可変表示が行われる演出表示装置９の表示画面には、例えば「左」、「中」、「右」の３つの演出図柄を可変表示する図柄表示エリアと実行中の可変表示に対応する保留表示を可変表示対応保留表示として表示する保留ボックス９Ｆの表示領域があって（【０００１】、【００２４】、【００３６】）、
　演出制御基板８０は、演出制御用ＣＰＵ１０１、および演出図柄プロセスフラグ等の演出に関する情報を記憶するＲＡＭを含む演出制御用マイクロコンピュータ１００、演出制御用マイクロコンピュータ１００と共動して演出表示装置９の表示制御を行うＶＤＰ１０９を搭載し、演出制御用ＣＰＵ１０１は、演出制御コマンドにもとづいて、ＶＤＰ１０９に演出表示装置９の表示制御を行わせ（【００６０】、【００６１】）、
　演出制御用ＣＰＵ１０１は、
　キャラクタ画像９ａを表示した場合に、リーチになる前（リーチ前）またはリーチになった後（リーチ演出中）に保留表示の態様が必ず変化するように制御し、
　可変表示を開始可能な状態になると、可変表示を開始するときに、開始される可変表示に対応する保留表示Ｂを保留ボックス９Ｆの内部に表示した後、リーチになる前（リーチ前）に、保留表示部９Ｆの近傍に所定のキャラクタ画像９ａを表示するとともに、保留ボックス９Ｆの内部で保留表示の態様を変化させ、リーチになった後（リーチ演出中）、最終停止図柄を導出表示させ、あるいは、
　可変表示を開始可能な状態になると、可変表示を開始するときに、開始される可変表示に対応する保留表示Ｃを保留ボックス９Ｆの内部に表示した後、リーチになる前（リーチ前）に、保留表示部９Ｆの近傍に所定のキャラクタ画像９ａを表示するが、この時点では、保留ボックス９Ｆの内部で保留表示の態様は変化させず、リーチになった後（リーチ演出中）、キャラクタ画像９ａは表示されていて、保留ボックス９Ｆの内部で保留表示の態様を変化させ（【０２２６】−【０２３１】、【０２３４】、【０２５５】、図２７）、
　始動入賞時の保留表示の態様、リーチ前の保留表示の態様、およびリーチ後の保留表示の態様と、判定値とが、対応して設定されている保留予告演出決定テーブルには、大当りの場合に使用される保留予告演出決定テーブルとスーパーリーチはずれの場合に使用される保留予告演出決定テーブルとがあり、
　演出制御用ＣＰＵ１０１は、保留予告決定用乱数を抽出し、抽出した乱数に一致する判定値（保留予告演出決定テーブルに設定されている判定値）に対応するパターンを、保留表示を変化させるパターンとして決定し、
　保留予告演出決定テーブルには、
　リーチ演出中にのみ保留予告を実行することに対応する「青」、「青」、「黄」のパターン２と、
　始動入賞時およびリーチ演出中に保留予告を実行することに対応する「黄」、「黄」、「赤」のパターン８と、
「青」、「黄」、「赤」のパターンは、リーチ前およびリーチ演出中に保留予告を実行することに対応する「青」、「黄」、「赤」のパターン９が含まれ、
　保留態様変化時期にリーチ演出中が含まれるパターン２、パターン８及びパターン９が実行される割合は、大当りとなる場合には５１％であり、スーパーリーチはずれとなる場合には３５％であるから、
　大当りとなる場合には大当りとならない場合と比べて高い割合で、保留態様変化時期にリーチ演出中が含まれ（【０２４９】、【０２５１】−【０２５３】、【０２６２】、図３１、認定事項１）、
ｆ３　「赤」の態様に着目すると、大当りの場合に使用される保留予告演出決定テーブルでは、スーパーリーチはずれの場合に使用される保留予告演出決定テーブルに対して、遅いタイミングであるリーチ演出中に「赤」の態様に変化するパターン８，９に、早いタイミングである始動入賞時およびリーチ前に「赤」の態様に変化するパターン６，７に比べて、多くの判定値が割り当てられていることにより、
　可変表示の表示結果が特定表示結果になるか否かに応じて、複数のタイミングのうちいずれのタイミングで特定態様に変化させるかの割合を異ならせる技術（【０２５５】）。」
　・特開２０１４−８７４９２号公報（以下、「周知例６」という。）には、図面と共に次の事項が記載されている（下線は当審にて付した。）。
　ａ　記載事項
　（ａ）「【技術分野】
【０００１】
　本発明は、遊技媒体が始動領域を通過した後に、可変表示の開始条件が成立したことにもとづいて識別情報の可変表示を行い、識別情報の表示結果が特定表示結果になったときに遊技者にとって有利な特定遊技状態に制御する
パチンコ遊技機
　（ｂ）「【００２３】
　遊技領域７の中央付近には、液晶表示装置（ＬＣＤ）で構成された演出表示装置９が設けられている。演出表示装置９では、第１特別図柄または第２特別図柄の可変表示に同期した装飾用（演出用）の
演出図柄
の可変表示が行われる
演出表示装置９の表示画面には、例えば「左」、「中」、「右」の３つの演出図柄を可変表示する図柄表示エリア
・・・
【００３４】
　また、演出表示装置９の表示画面には、第１保留記憶数を表示する第１保留記憶表示部１８ｃと、第２保留記憶数を表示する第２保留記憶表示部１８ｄとが設けられている。なお、第１保留記憶数と第２保留記憶数との合計である合計数（合算保留記憶数）を表示する領域（合算保留記憶表示部）が設けられるようにしてもよい。合計数を表示する合算保留記憶表示部が設けられているようにすれば、可変表示の開始条件が成立していない実行条件の成立数の合計を把握しやすくすることができる。
【００３５】
　また、
演出表示装置９の表示画面には、実行中の可変表示に対応する保留表示を可変表示対応保留表示として表示する保留ボックス
９Ｆの表示領域があ
・・・
【００５９】
　
演出制御基板８０は、演出制御用ＣＰＵ１０１、および演出図柄プロセスフラグ等の演出に関する情報を記憶するＲＡＭを含む演出制御用マイクロコンピュータ１００を搭載し
演出制御用ＣＰＵ１０１は、演出制御コマンドにもとづいて、ＶＤＰ
１０９に演出表示装置９の表示制御を行わせ
【００６０】
　この実施の形態では、
演出制御用マイクロコンピュータ１００と共動して演出表示装置９の表示制御を行うＶＤＰ１０９
【００６１】
　演出制御用ＣＰＵ１０１は、受信した演出制御コマンドに従ってＣＧＲＯＭ（図示せず）から必要なデータを読み出すための指令をＶＤＰ１０９に出力する。ＣＧＲＯＭは、演出表示装置９に表示されるキャラクタ画像データや動画像データ、具体的には、人物、文字、図形や記号等（演出図柄を含む）、および背景画像のデータをあらかじめ格納しておくためのＲＯＭである。ＶＤＰ１０９は、演出制御用ＣＰＵ１０１の指令に応じて、ＣＧＲＯＭから画像データを読み出す。そして、ＶＤＰ１０９は、読み出した画像データにもとづいて表示制御を実行する。」
　（ｃ）「【０２２１】
　図２６は、保留表示の変化例を示す説明図である。図２６には、始動入賞にもとづく演出図柄の可変表示（変動）が開始される前に保留表示の態様（表示態様）が変化する変動開始前態様変化の例が示されている。なお、図２６には、可変表示（変動）が開始される前の時点として、始動入賞が生じたときが例示されている。
【０２２２】
　図２６に示す例では、左中右の図柄表示エリア９Ｌ，９Ｃ，９Ｒにおいて演出図柄の可変表示が実行されているときに（図２６（Ａ）参照）、新たな始動入賞が発生すると、保留表示の数が１増えるが、新たな始動入賞に対応する保留表示（保留表示Ａとする。）は、通常態様とは異なる態様で表示されることがある（図２６（Ｂ）参照）。
・・・
【０２２５】
　図２７［左側］に示す例では、
可変表示を開始可能な状態になると
演出制御用ＣＰＵ１０１
は、可変表示を開始するときに、開始される可変表示に対応する
保留表示Ｂ
を保留ボックス９Ｆの内部に表示
【０２２６】
　その
後、リーチになる前に、
保留表示部９Ｆの近傍
に所定のキャラクタ画像９ａを表示する
保留ボックス９Ｆの内部で保留表示の態様を変化させ
【０２２７】
　そして、
リーチになった後、最終停止図柄
導出表示さ
【０２２８】
　図２７［右側］に示す例では、
可変表示を開始可能な状態になると
可変表示を開始するときに、開始される可変表示に対応する
保留表示Ｃ
を保留ボックス９Ｆの内部に表示
【０２２９】
　その
後、リーチになる前に、
保留表示部９Ｆの近傍
に所定のキャラクタ画像９ａを表示する
この時点では、保留ボックス９Ｆの内部で保留表示の態様は変化
【０２３０】
　そして、
リーチになった後、
保留ボックス９Ｆの内部で保留表示の態様を変化させ
【０２３１】
　なお、可変表示開始時を起点として、図２７［右側］においてキャラクタ画像９ａの表示が開始される時点は、図２７［左側］においてキャラクタ画像９ａの表示が開始される時点と同じである。
・・・
【０２３３】
　また、この実施の形態では、演出制御用マイクロコンピュータ１００は、
キャラクタ画像９ａを表示した場合に、リーチになる前またはリーチになった後に保留表示の態様が必ず変化するように制御
　（ｄ）「【図２７】
                                                                　」
 
　（ｅ）図２７［右側］の（Ｄ）には、リーチになった後（リーチ演出中）、キャラクタ画像９ａは表示されていることが記載されている。
　（ｆ）「【０２４８】
　図３１は、ステップＳ６００２の処理で使用される保留予告演出決定テーブルの一例を示す説明図である。図３１に例示する
保留予告演出決定テーブル
始動入賞時の保留表示の態様、リーチ前の保留表示の態様、およびリーチ後の保留表示の態様と、判定値とが、対応して設定されている
【０２４９】
　図３１に示す例において、始動入賞時の保留表示の態様、リーチ前の保留表示の態様、リーチ後の保留表示の態様が、「青」、「青」、「青」のパターンは、保留予告を実行しないことに対応するパターンである。「青」は、保留表示の通常態様だからである。
【０２５０】
　
「青」、「青」、「黄」のパターン
リーチ演出中
にのみ保留予告を実行することに対応する
【０２５１】
　「黄」、「赤」、「赤」のパターンは、始動入賞時およびリーチ前に保留予告を実行することに対応するパターンである。「青」、「赤」、「赤」のパターンは、リーチ前にのみ保留予告を実行することに対応するパターンである。
「黄」、「黄」、「赤」のパターン
始動入賞時およびリーチ演出中に保留予告を実行することに対応する
「青」、「黄」、「赤」のパターン
リーチ前およびリーチ演出中に保留予告を実行することに対応する
【０２５２】
　なお、この実施の形態では、入賞時判定結果コマンドが大当りを示すコマンドである場合に使用される保留予告演出決定テーブル（
大当りの場合に使用される保留予告演出決定テーブル
スーパーリーチはずれの場合に使用される保留予告演出決定テーブル
とがあ
【０２５３】
　また、大当りの場合に使用される保留予告演出決定テーブルでは、スーパーリーチはずれの場合に使用される保留予告演出決定テーブルに比べて、始動入賞時に保留表示の表示態様が「赤」になるパターン（パターン５）に多くの判定値が割り合てられている。すなわち、演出制御用マイクロコンピュータ１００は、可変表示が開始される前に特定表示結果になると判定した場合と特定表示結果にならないと判定した場合とで、異なる割合で特定態様で保留表示を表示する。
【０２５４】
　また、
「赤」の態様に着目すると、大当りの場合に使用される保留予告演出決定テーブルでは、スーパーリーチはずれの場合に使用される保留予告演出決定テーブルに対して、遅いタイミング
リーチ演出中
「赤」の態様に変化する
パターン８，９
に、早いタイミング
始動入賞時
および
リーチ前
「赤」の態様に変化する
パターン６，７
に比べて、多くの判定値が割り当てられている
可変表示の表示結果が特定表示結果になるか否かに応じて、複数のタイミングのうちいずれのタイミングで特定態様に変化させるかの割合を異ならせる
【０２５５】
　また、「赤」の態様に着目すると、大当りの場合に使用される保留予告演出決定テーブルでは、スーパーリーチはずれの場合に使用される保留予告演出決定テーブルに対して、始動入賞時に「赤」の態様に変化するパターン（パターン５）に、可変表示開始中（具体的には、「リーチ前」および「リーチ演出中」）に「赤」の態様に変化するパターン（パターン６，７，８，９）に比べて、少ない判定値が割り当てられている（割り当てられている判定値の割合が低い）。すなわち、可変表示中に保留表示の態様が特定態様に変化するときと、可変表示開始前に保留表示の態様が特定態様に変化するときとで、可変表示の表示結果が特定表示結果になる割合が異なる。
・・・
【０２６１】
　
演出制御用ＣＰＵ１０１は、
保留予告決定用乱数を抽出し、抽出した乱数に一致する判定値（保留予告演出決定テーブルに設定されている判定値）に対応するパターンを、保留表示を変化させるパターンとして決定
　（ｇ）「【図３１】
　　　　　　　　　　　　　　　　　　　　　　　　　　　　　　　　　」
 （ｈ）始動入賞時の保留表示の態様、リーチ前の保留表示の態様、およびリーチ後の保留表示の態様と、判定値とが、対応して設定されている保留予告演出決定テーブルの一例を示す説明図である図３１には、
・上段に「大当りの場合に使用」するテーブルと、下段に「スーパーリーチはずれの場合に使用」するテーブルという２つのテーブルが記載され、
・各テーブルには、「１」〜「９」までの数字が付された「パターン」ごとに、数字と、「保留態様変化時期」と、「判定数値（％）」と、「備考」が記載され、
　上段の「大当りの場合に使用する」テーブルにおいて、
・「青」、「青」、「黄」のパターン２には、「判定値数（％）」に「２」が振られ、「備考」に、「リーチ演出中にのみ実行」と、
・「黄」、「黄」、「赤」のパターン８には、「判定値数（％）」に「２４」が振られ、「備考」に、「始動入賞時とリーチ演出中に実行」と、
・「青」、「黄」、「赤」のパターン９には、「判定値数（％）」に「２５」が振られ、「備考」に、「リーチ前及びリーチ演出中に実行」と記載され、
　下段の「スーパーリーチはずれの場合に使用」するテーブルにおいて、
・パターン２には、「判定値数（％）」に「２０」が振られ、
・パターン８には、「判定値数（％）」に「５」が振られ、
・パターン９には、「判定値数（％）」に「１０」が振られている。
　ｂ　認定事項
　（ａ）認定事項１
　上記ａ（ｇ）、（ｈ）及び、上記ａ（ｆ）の記載（下線を付した箇所）から、
　周知例６には、
　保留態様変化時期にリーチ演出中が含まれるパターン２、パターン８及びパターン９を併せた判定値数は、大当りの場合に使用される保留予告演出決定テーブルにおいて５１％を占める一方、スーパーリーチはずれの場合に使用される保留予告演出決定テーブルにおいて３５％を占めること、すなわち、保留態様変化時期にリーチ演出中が含まれるパターン２、パターン８及びパターン９が実行される割合は、大当りとなる場合には５１％であり、スーパーリーチはずれとなる場合には３５％であることが記載されているので、
　このことから、「保留態様変化時期にリーチ演出中が含まれるパターン２、パターン８及びパターン９が実行される割合」が、「大当りとなる場合」の割合である「５１％」は、「スーパーリーチはずれとなる場合」の割合である「３５％」と比べて高い割合である、すなわち、大当りとなる場合には大当りとならない場合と比べて高い割合で、保留態様変化時期にリーチ演出中が含まれることが記載されていると認められる。
　ｃ　周知例６に記載の技術
　上記ａ、ｂより、周知例６には、次の技術（以下、「周知例６に記載の技術」という。）が記載されていると認められる（符号ｆ１−ｆ３は、本件補正発明の分説Ｆ１−Ｆ３におおむね対応させて当審が付した。）。
　周知例６に記載の技術
「ｆ１、ｆ２　パチンコ遊技機の演出図柄の可変表示が行われる演出表示装置９の表示画面には、例えば「左」、「中」、「右」の３つの演出図柄を可変表示する図柄表示エリアと実行中の可変表示に対応する保留表示を可変表示対応保留表示として表示する保留ボックス９Ｆの表示領域があって（【０００１】、【００２３】、【００３５】）、
　演出制御基板８０は、演出制御用ＣＰＵ１０１、および演出図柄プロセスフラグ等の演出に関する情報を記憶するＲＡＭを含む演出制御用マイクロコンピュータ１００、演出制御用マイクロコンピュータ１００と共動して演出表示装置９の表示制御を行うＶＤＰ１０９を搭載し、演出制御用ＣＰＵ１０１は、演出制御コマンドにもとづいて、ＶＤＰ１０９に演出表示装置９の表示制御を行わせ（【００５９】、【００６０】）、
　演出制御用ＣＰＵ１０１は、
キャラクタ画像９ａを表示した場合に、リーチになる前（リーチ前）またはリーチになった後（リーチ演出中）に保留表示の態様が必ず変化するように制御し、
　可変表示を開始可能な状態になると、可変表示を開始するときに、開始される可変表示に対応する保留表示Ｂを保留ボックス９Ｆの内部に表示した後、リーチになる前（リーチ前）に、保留表示部９Ｆの近傍に所定のキャラクタ画像９ａを表示するとともに、保留ボックス９Ｆの内部で保留表示の態様を変化させ、リーチになった後（リーチ演出中）、最終停止図柄を導出表示させ、あるいは、
　可変表示を開始可能な状態になると、可変表示を開始するときに、開始される可変表示に対応する保留表示Ｃを保留ボックス９Ｆの内部に表示した後、リーチになる前（リーチ前）に、保留表示部９Ｆの近傍に所定のキャラクタ画像９ａを表示するが、この時点では、保留ボックス９Ｆの内部で保留表示の態様は変化させず、リーチになった後（リーチ演出中）、キャラクタ画像９ａは表示されていて、保留ボックス９Ｆの内部で保留表示の態様を変化させ（【０２２５】−【０２３０】、【０２３３】、【０２５４】、図２７）、
　始動入賞時の保留表示の態様、リーチ前の保留表示の態様、およびリーチ後の保留表示の態様と、判定値とが、対応して設定されている保留予告演出決定テーブルには、大当りの場合に使用される保留予告演出決定テーブルとスーパーリーチはずれの場合に使用される保留予告演出決定テーブルとがあり、
　演出制御用ＣＰＵ１０１は、保留予告決定用乱数を抽出し、抽出した乱数に一致する判定値（保留予告演出決定テーブルに設定されている判定値）に対応するパターンを、保留表示を変化させるパターンとして決定し、
　保留予告演出決定テーブルには、
　リーチ演出中にのみ保留予告を実行することに対応する「青」、「青」、「黄」のパターン２と、
　始動入賞時およびリーチ演出中に保留予告を実行することに対応する「黄」、「黄」、「赤」のパターン８と、
「青」、「黄」、「赤」のパターンは、リーチ前およびリーチ演出中に保留予告を実行することに対応する「青」、「黄」、「赤」のパターン９が含まれ、
　保留態様変化時期にリーチ演出中が含まれるパターン２、パターン８及びパターン９が実行される割合は、大当りとなる場合には５１％であり、スーパーリーチはずれとなる場合には３５％であるから、
　大当りとなる場合には大当りとならない場合と比べて高い割合で、保留態様変化時期にリーチ演出中が含まれ（【０２４８】、【０２５０】−【０２５２】、【０２６１】、図３１、認定事項１）、
ｆ３　「赤」の態様に着目すると、大当りの場合に使用される保留予告演出決定テーブルでは、スーパーリーチはずれの場合に使用される保留予告演出決定テーブルに対して、遅いタイミングであるリーチ演出中に「赤」の態様に変化するパターン８，９に、早いタイミングである始動入賞時およびリーチ前に「赤」の態様に変化するパターン６，７に比べて、多くの判定値が割り当てられていることにより、
　可変表示の表示結果が特定表示結果になるか否かに応じて、複数のタイミングのうちいずれのタイミングで特定態様に変化させるかの割合を異ならせる技術（【０２５４】）。」
　（ウ）周知技術４について
　ａ　周知例５に記載の技術及び周知例６に記載の技術における構成ｆ１、ｆ２の
　「保留ボックス９Ｆの内部で保留表示の態様を変化させ」ること、
　「開始される可変表示に対応する保留表示Ｂ」は、それぞれ、
　本件補正発明における構成Ｆ１の
　「対応表示変化演出」、
　「対応表示」に相当する。
　また、周知例５に記載の技術及び周知例６に記載の技術は、「キャラクタ画像９ａを表示した場合に、リーチになる前（リーチ前）またはリーチになった後（リーチ演出中）に保留表示の態様が必ず変化するように制御」することから（構成ｆ１）、「キャラクタ画像９ａを表示」することは、その後に実行される「保留ボックス９Ｆの内部で保留表示の態様を変化させ」ることの示唆になっているといえる。
　よって、周知例５に記載の技術及び周知例６に記載の技術の構成ｆ１、ｆ２において、「キャラクタ画像９ａを表示」することは、本件補正発明の構成Ｆ１において、「対応表示の変化を示唆する表示変化示唆演出を実行することに相当し、
　周知例５に記載の技術及び周知例６に記載の技術の構成ｆ１、ｆ２において、「キャラクタ画像９ａを表示した場合に、リーチになる前（リーチ前）またはリーチになった後（リーチ演出中）に保留表示の態様が必ず変化するように制御」することにより、「開始される可変表示に対応する保留表示Ｂ」を、「保留ボックス９Ｆの内部で保留表示の態様を変化させ」ることは、本件補正発明の構成Ｆ１において、「対応表示の変化を示唆する表示変化示唆演出を実行してから前記対応表示変化演出を実行可能であ」ることに相当する。
　ｂ　上記ａより、周知例５に記載の技術及び周知例６に記載の技術における構成ｆ１、ｆ２の「開始される可変表示に対応する保留表示Ｂ」は、本件補正発明における構成Ｆ１の「対応表示」に相当し、また、周知例５に記載の技術及び周知例６に記載の技術における構成ｆ１、ｆ２の「可変表示」は、本件補正発明の構成Ｆ２の「可変表示」に相当することを踏まえると、周知例５に記載の技術及び周知例６に記載の技術における構成ｆ１、ｆ２において、「開始される可変表示」に「保留表示Ｂ」が「対応する」ことは、すなわち、「保留表示Ｂ」に「開始される可変表示」が「対応する」ことを表している。
　したがって、周知例５に記載の技術及び周知例６に記載の技術における構成ｆ１、ｆ２の「保留表示Ｂ」「に対応する」「可変表示」は、本件補正発明の構成Ｆ２の「対応表示に対応する可変表示」に相当する。
　そして、周知例５に記載の技術及び周知例６に記載の技術における構成ｆ１、ｆ２の
　「大当りとなる場合」、
　「スーパーリーチはずれとなる場合」は、それぞれ、
　本件補正発明の構成Ｆ２の
　「表示結果が前記特定表示結果となる場合」、
　「前記特定表示結果とならない場合」に相当する。
　
　ｃ　次に、上記ａから、周知例５に記載の技術及び周知例６に記載の技術の構成ｆ１、ｆ２において、「キャラクタ画像９ａを表示」することは、本件補正発明の構成Ｆ１において、「対応表示の変化を示唆する表示変化示唆演出を実行することに相当するものであるから、周知例５に記載の技術及び周知例６に記載の技術の構成ｆ１、ｆ２において、「リーチになる前（リーチ前）に、保留表示部９Ｆの近傍に所定のキャラクタ画像９ａを表示するが、この時点では、保留ボックス９Ｆの内部で保留表示の態様は変化させず、リーチになった後（リーチ演出中）、キャラクタ画像９ａは表示されてい」ることは、本件補正発明の構成Ｆ２の「当該可変表示がリーチ状態となった後に前記表示変化示唆演出を実行」することに相当する。
　また、周知例５に記載の技術及び周知例６に記載の技術における構成ｆ１、ｆ２において、「保留態様変化時期にリーチ演出中が含まれるパターン２、パターン８及びパターン９が実行される割合」が、「大当りとなる場合」の割合である「５１％」は、「スーパーリーチはずれとなる場合」の割合である「３５％」と比べて高い割合であること、すなわち、「大当りとなる場合には大当りとならない場合と比べて高い割合で、保留態様変化時期にリーチ演出中が含まれ」ることは、本件補正発明の構成Ｆ２の、「対応表示に対応する可変表示の表示結果が前記特定表示結果となる場合には前記特定表示結果とならない場合と比べて高い割合で、当該可変表示がリーチ状態となった後に前記表示変化示唆演出を実行」することに相当する。
　　ｄ　上記ａより、周知例５に記載の技術及び周知例６に記載の技術における構成ｆ１、ｆ２の「保留表示Ｂ」「に対応する」「可変表示」は、本件補正発明の構成Ｆ２の「対応表示に対応する可変表示」に相当することを踏まえると、
　周知例５に記載の技術及び周知例６に記載の技術における構成ｆ３の「可変表示」も、「保留表示Ｂ」「に対応する」「可変表示」であるから、本件補正発明の構成Ｆ３の「対応表示に対応する可変表示」に相当し、
　以下同様に、周知例５に記載の技術及び周知例６に記載の技術における構成ｆ３の
　「特定表示結果」、
　「になるか否かに応じて」いること、
　「割合を異ならせ」ることは、それぞれ、
　本件補正発明の構成Ｆ３の
　「特定表示結果」、
　「となるか否かに応じて」いること、
　「異なる割合」に相当する。
　したがって、周知例５に記載の技術及び周知例６に記載の技術における構成ｆ３の「可変表示の表示結果が特定表示結果になるか否かに応じて、複数のタイミングのうちいずれのタイミングで特定態様に変化させるかの割合を異ならせ」ることは、本件補正発明の構成Ｆ３の「対応表示に対応する可変表示の表示結果が前記特定表示結果となるか否かに応じて異なる割合で、複数のタイミングのうち何れかのタイミングで」変化させることに相当する。
　ｅ　以上のことから、周知例５に記載の技術及び周知例６に記載の技術から、
　「キャラクタ画像９ａを表示した場合に、リーチになる前（リーチ前）またはリーチになった後（リーチ演出中）に保留表示の態様が必ず変化するように制御」することにより、「開始される可変表示に対応する保留表示Ｂ」を、「保留ボックス９Ｆの内部で保留表示の態様を変化させ」、
　「大当りとなる場合には大当りとならない場合と比べて高い割合で、保留態様変化時期にリーチ演出中が含まれ」、
　「可変表示の表示結果が特定表示結果になるか否かに応じて、複数のタイミングのうちいずれのタイミングで特定態様に変化させるかの割合を異ならせ」る技術は、本願の出願前における周知技術であると認められ、これが、上記周知技術４を表している。
　（エ）引用発明と周知技術４とは、保留予告と当該変動の予告を行う遊技機である点で技術分野が共通し、かつ、実行中の可変表示中に、当該変動の予告を変化させることにより興趣を向上するという点で課題も共通するから、
　引用発明の、変動アイコン表示領域８００において表示されている「変動表示アイコン」の「表示態様の変化」（本件補正発明の「対応表示変化演出」に相当。）が生じることを、キャラクタ画像９ａを表示することにより示唆するとともに、表示態様の変化が、リーチの前後のいずれに変化するかに応じて大当りとなる割合が異なるという上記周知技術４を採用することにより、上記相違点５に係る本件補正発明の構成とすることは、当業者が容易に想到し得たことである。
　オ　また、本件補正発明の効果は、引用発明及び周知技術１〜周知技術４から予測し得るものであって格別顕著なものということはできない。
　カ　請求人の主張について
　請求人は、審判請求書において、本件補正発明が、構成Ａ（当審が分説した構成Ｆ１、Ｆ２が該当。）及び構成Ｂ（同構成Ｆ３が該当。）を備えることに基づいて、以下の主張を行っている。
「（３−２）本願発明について
　本願発明は、以下の構成Ａ及び構成Ｂを有します。・・・
本願発明は、構成Ａを有することにより、・・・表示変化示唆演出がどのタイミングで対応表示の変化を示唆するのかにも注目させることができ、結果的に、対応表示に対する注目度をより向上させることができるという効果が期待されます。
　また、本願発明は、構成Ｂを有することにより、・・・期待感を維持させた状態で対応表示に注目させることができ、対応表示に対する注目を更に向上させることができるという効果が期待されます。
　このように、本願発明は、構成Ａ及び構成Ｂを同時に有することにより、対応表示に対する注目度を向上させる点で格別の効果を奏します。」
　しかし、請求人が主張する構成Ａ及び構成Ｂは、本件補正発明の構成Ｆ１〜構成Ｆ３であって、上記エにて、相違点５について検討したとおり、構成Ｆ１〜構成Ｆ３は、引用発明に上記周知技術４を採用することにより得られる構成であるから、構成Ａ及び構成Ｂは、上記周知技術４により、同時に得られることになる。
　したがって、請求人の主張を採用することはできない。
（６）小括
　したがって、本件補正発明は、引用発明及び周知技術１〜周知技術４に基いて当業者が容易に発明をすることができたものであるから、特許法第２９条第２項の規定により、特許出願の際独立して特許を受けることができない。
４　むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　　本件補正は、上記のとおり却下されたので、本願の請求項１に係る発明（以下、「本願発明」という。）は、平成３０年１０月１９日付け手続補正書により補正された、上記第２の１で示した特許請求の範囲の請求項１に記載されたとおりのものである。
２　原査定の拒絶の理由
　原査定の拒絶の理由は、概略、次のとおりのものである。
（新規性）この出願の請求項１に係る発明は、その出願前に日本国内又は外国において、頒布され、又は、電気通信回線を通じて公衆に利用可能となった次の引用文献１に記載された発明に基いて当業者が容易に発明をすることができたものであるから、特許法第２９条第２項の規定により特許を受けることができない。　　　
　　１. 特開２０１３−２１２１３６号公報
３　引用文献１に記載の事項
　原査定の拒絶の理由に引用された引用文献１の記載事項は、上記第２の３（２）に記載したとおりである。
４　対比・判断
　本願発明は、上記「第２の２（１）本件補正」において検討したとおり、本件補正発明において、
　発明を特定するために必要な事項である「対応表示変化演出実行手段」について、
　「対応表示の変化を示唆する表示変化示唆演出を実行してから前記対応表示変化演出を実行可能であり、
　対応表示に対応する可変表示の表示結果が前記特定表示結果となる場合には前記特定表示結果とならない場合と比べて高い割合で、当該可変表示がリーチ状態となった後に前記表示変化示唆演出を実行し、
　前記第２タイミングまで対応表示が表示されているときに、対応表示に対応する可変表示の表示結果が前記特定表示結果となるか否かに応じて異なる割合で、複数のタイミングのうち何れかのタイミングで対応表示の表示態様を変化させる」ものであるという限定を省いたものである。
　そうすると、本願発明と引用発明とは、上記の限定を省いたことにより、上記「第２の３（４）一致点及び相違点」において検討した相違点１〜相違点４の点で相違する。
　そして、相違点１〜相違点４については、前記「第２の３（５）ア〜ウにおいて検討したように、引用発明及び周知技術１〜周知技術３に基いて当業者が容易に発明をすることができたものである。
５　むすび
　以上のとおり、本願発明は、引用発明及び周知技術１〜周知技術３に基いて当業者が容易に発明をすることができたものであるから、特許法第２９条第２項の規定により特許を受けることができないものである。 
　よって、結論のとおり審決する。